(57)【特許請求の範囲】
【請求項１】
自装置のための多地点協調送受信を行なう協調グループの決定のために測定するリファレンス信号の種類を現在のセルで適用されているシナリオに応じて設定する測定制御部と、
各基地局から送信される、前記測定制御部で設定された種類のリファレンス信号を、前記協調グループ決定用に測定するリファレンス信号測定部と、
を具備し、
各基地局は、同一のセル識別子を持つ基地局間で互いに異なる場所に割り当てることが可能で送信周期を調整可能な第１のリファレンス信号を多地点協調送受信が必要な端末の台数に応じて決定される送信周期で送信するとともに、他の基地局と同一の場所を使用しセル識別子毎に固有な系列からなる第２のリファレンス信号を送信し、
前記測定制御部は、同じ大基地局に従属する各基地局に同一のセル識別子が割り当てられる第１のシナリオでは、第１のリファレンス信号を協調グループ決定のための測定用に設定し、同じ大基地局に従属しても基地局毎に独自のセル識別子が割り当てられる第２のシナリオでは、第２のリファレンス信号を協調グループ決定のための測定用に設定する、
無線通信装置。
【請求項２】
前記測定制御部は、基地局からの通知に基づいて、協調グループの決定のために測定するリファレンス信号の種類を設定する、
請求項１に記載の無線通信装置。
【請求項３】
前記測定制御部は、基地局から通知された特定のセル識別子を持つ基地局に対しては第１のリファレンス信号を協調グループ決定のための測定用に設定し、それ以外のセル識別子を持つ基地局に対しては第２のリファレンス信号を協調グループ決定のための測定用に設定する、
請求項１に記載の無線通信装置。
【請求項４】
同一のセル識別子を持つ基地局間で互いに異なる場所に割り当てることが可能で送信周期を調整可能な第１のリファレンス信号と、他の基地局と同一の場所を使用しセル識別子毎に固有な系列からなる第２のリファレンス信号を送信するリファレンス信号送信部と、
同じ大基地局に従属する各基地局に同一のセル識別子が割り当てられる第１のシナリオでは、自装置に属する端末に対して、第１のリファレンス信号を用いて協調グループ決定用の測定を行なうべきセル識別子を通知する第１の通知部と、
多地点協調送受信を必要とする端末の台数に関する情報を、自装置が従属する大基地局に通知する第２の通知部と、
を具備し、
前記リファレンス信号送信部は、前記大基地局が多地点協調送受信を必要とする端末の台数に応じて決定した送信周期で第１のリファレンス信号を送信する、
無線通信装置。
【請求項５】
自装置のための多地点協調送受信を行なう協調グループの決定のために測定するリファレンス信号の種類を現在のセルで適用されているシナリオに応じて設定する測定制御ステップと、
各基地局から送信される、前記測定制御ステップで設定された種類のリファレンス信号を、前記協調グループ決定用に測定するリファレンス信号測定ステップと、
を有し、
各基地局は、同一のセル識別子を持つ基地局間で互いに異なる場所に割り当てることが可能で送信周期を調整可能な第１のリファレンス信号を多地点協調送受信が必要な端末の台数に応じて決定される送信周期で送信するとともに、他の基地局と同一の場所を使用しセル識別子毎に固有な系列からなる第２のリファレンス信号を送信し、
前記測定制御ステップでは、同じ大基地局に従属する各基地局に同一のセル識別子が割り当てられる第１のシナリオにおいて第１のリファレンス信号を協調グループ決定のための測定用に設定し、同じ大基地局に従属しても基地局毎に独自のセル識別子が割り当てられる第２のシナリオにおいて第２のリファレンス信号を協調グループ決定のための測定用に設定する、
無線通信方法。
【請求項６】
同一のセル識別子を持つ基地局間で互いに異なる場所に割り当てることが可能で送信周期を調整可能な第１のリファレンス信号と、他の基地局と同一の場所を使用しセル識別子毎に固有な系列からなる第２のリファレンス信号を送信するリファレンス信号送信ステップと、
同じ大基地局に従属する各基地局に同一のセル識別子が割り当てられる第１のシナリオでは、自装置に属する端末に対して、第１のリファレンス信号を用いて協調グループ決定用の測定を行なうべきセル識別子を通知する第１の通知ステップと、
多地点協調送受信を必要とする端末の台数に関する情報を、自装置が従属する大基地局に通知する第２の通知ステップと、
を有し、
前記リファレンス信号送信ステップでは、前記大基地局が多地点協調送受信を必要とする端末の台数に応じて決定した送信周期で第１のリファレンス信号を送信する、
無線通信方法。
【請求項７】
同一のセル識別子を持つ基地局間で互いに異なる場所に割り当てることが可能で送信周期を調整可能な第１のリファレンス信号を多地点協調送受信が必要な端末の台数に応じて決定される送信周期で送信するとともに、他の基地局と同一の場所を使用しセル識別子毎に固有な系列からなる第２のリファレンス信号を送信する複数の基地局と、
同じ大基地局に従属する各基地局に同一のセル識別子が割り当てられる第１のシナリオでは、第１のリファレンス信号を協調グループ決定のための測定用に設定し、同じ大基地局に従属しても基地局毎に独自のセル識別子が割り当てられる第２のシナリオでは、第２のリファレンス信号を協調グループ決定のための測定用に設定して、リファレンス信号の測定を行なう端末局と、
を具備する無線通信システム。
【請求項８】
前記基地局は、同じ大基地局に従属する各基地局に同一のセル識別子が割り当てられる第１のシナリオでは、自装置に属する端末局に対して、第１のリファレンス信号を用いて協調グループ決定用の測定を行なうべきセル識別子を通知する、
請求項７に記載の無線通信システム。
【発明の詳細な説明】
【技術分野】
【０００１】
本明細書で開示する技術は、他の基地局と協調して端末に対して同時にデータを送受信する無線通信装置及び無線通信方法、並びに無線通信システムに係り、特に、リファレンス信号を受信した端末からのフィードバックに基づいて端末に対する基地局の組合せを決定する無線通信装置及び無線通信方法、並びに無線通信システムに関する。
【背景技術】
【０００２】
現在、３ＧＰＰ（Ｔｈｉｒｄ  Ｇｅｎｅｒａｔｏｉｎ  Ｐａｒｔｎｅｒｓｈｉｐ  Ｐｒｏｊｅｃｔ）では、第４世代移動通信システムの標準化作業が行なわれている。３ＧＰＰが策定したデータ通信仕様の１つである「ＬＴＥ（Ｌｏｎｇ  Ｔｅｒｍ  Ｅｖｏｌｕｔｉｏｎ）」は、第４世代（４Ｇ）のＩＭＴ−Ａｄｖａｎｃｅｄを目指した長期的高度化システムであり、「３．９Ｇ（スーパー３Ｇ）」とも呼ばれる。【０００３】
ＬＴＥでは、ＦＤＤ（Ｆｒｅｑｕｅｎｃｙ  Ｄｉｖｉｓｉｏｎ  Ｄｕｐｌｅｘ）とＴＤＤ（Ｔｉｍｅ  Ｄｉｖｉｓｉｏｎ  Ｄｕｐｌｅｘ）の２通りの複信方式を選択することができる。ＦＤＤでは、アップリンク専用の帯域とダウンリンク専用の帯域を用いる。アップリンク及びダウンリンクでは、それぞれ連続する１０個のサブフレームで構成される無線フレームのフォーマットを使用する。ここで言うアップリンクとは、端末局（ＵＥ端末：Ｕｓｅｒ  Ｅｑｕｉｐｍｅｎｔ）からＬＴＥの基地局（ｅＮｏｄｅＢ：ｅｖｏｌｖｅｄ  Ｎｏｄｅ  Ｂ）への通信のことであり、ダウンリンクとは、ｅＮｏｄｅＢからＵＥ端末への通信のことである。ＴＤＤでも、連続する１０個のサブフレームで構成される無線フレームのフォーマットを使用する。但し、ＴＤＤでは、アップリンク及びダウンリンクで同一の帯域を用いて通信を行なう。無線フレームを構成する各サブフレームは、ｅＮｏｄｅＢからの制御信号ＰＤＣＣＨ（Ｐｈｙ  Ｄｏｗｎｌｉｎｋ  Ｃｏｎｔｒｏｌ  Ｃｈａｎｎｅｌ）と、ユーザー・データとして使うＰＤＳＣＨ（Ｐｈｙ  Ｄｏｗｎｌｉｎｋ  Ｓｈａｒｅｄ  Ｃｈａｎｎｅｌ）からなる。【０００４】
３ＧＰＰのＬＴＥに関するＲｅｌｅａｓｅ１１の規格策定作業の中で、セル・エッジに位置するＵＥ端末のスループットを向上するキー技術として、ＣｏＭＰ（Ｃｏｏｒｄｉｎａｔｅｄ  Ｍｕｌｔｉ  Ｐｏｉｎｔ  Ｔｒａｎｓｍｉｓｓｉｏｎ／Ｒｅｃｅｐｔｉｏｎ：多地点協調送受信）について取り組まれている。ＣｏＭＰは、複数のｅＮｏｄｅＢが１つのＵＥ端末に対して同時にデータを送受信することにより、所望信号電力を増大させるとともに他セルからの干渉低減を図る技術である。ＣｏＭＰによりマクロダイバーシティ・ゲインを効率よく引き出すために、プリコーディング、リファレンス信号、測定及びフィードバック方法などについて検討すべきである。ＬＴＥではＲｅｌｅａｓｅ８において、ＨｅｔＮｅｔと呼ばれるＭａｃｒｏ／Ｍｉｃｒｏ／Ｐｉｃｏ／Ｆｅｍｔｏなどさまざまなサイズのセルを階層化する方式について検討されているが、ＣｏＭＰはこのようなフェムトセルへの通信も含まれる。なお、ＣｏＭＰには、ＵｐＬｉｎｋ  ＣｏＭＰとＤｏｗｎＬｉｎｋ  ＣｏＭＰが存在し、ＵｐＬｉｎｋ  ＣｏＭＰもＤｏｗｎＬｉｎｋ  ＣｏＭＰと同様に重要な技術であるが、以下では、断りがない限りＤｏｗｎＬｉｎｋ  ＣｏＭＰとして説明する。【０００５】
ＣｏＭＰを実現するセルの方法として、複数のｅＮｏｄｅＢがそれぞれ自律分散制御する方式と、１台のＭａｃｒｏ  ｅＮｏｄｅＢが複数のＰｉｃｏ  ｅＮｏｄｅＢを集中制御する方式が挙げられる。後者の集中制御方式では、セル・エッジなどにおける不感知対策のためＲＲＨ（Ｒｅｍｏｔｅ  Ｒａｄｉｏ  Ｈｅａｄ）のような複数の基地局を配置し、これらの基地局を集中制御するＭａｃｒｏ  ｅＮｏｄｅＢ間は、光ファイバーを用いてベースバンド信号により接続されている（後述）。そして、Ｍａｃｒｏ  ｅＮｏｄｅＢは、各ＲＲＨのベースバンド信号処理及び制御を行ない、セル間の無線リソース制御を一括して行なう。【０００６】
ＣｏＭＰセットの決定について
ある１つのＵＥ端末に対してＣｏＭＰを行なう、すなわち協調グループを構成するｅＮｏｄｅＢの組合せを、以下では、Ｓｅｔ  ｏｆ  ＣｏＭＰ  ｔｒａｎｓｍｉｓｓｉｏｎ  ｐｏｉｎｔ、又は、略してＣｏＭＰセットと呼ぶことにする。【０００７】
ＣｏＭＰセットを決定するには、ＵＥ端末にとって、どのｅＮｏｄｅＢを使うと効果的であるかを判断する必要がある。これをＣｏＭＰセット決定、又は、ポイント・セレクションと呼ぶことにする。【０００８】
ポイント・セレクションの１つの方法として、ＵＥ端末が各基地局からのリファレンス信号を受信して、基地局毎にＲＳＲＰ（Ｒｅｆｅｒｅｎｃｅ  Ｓｉｇｎａｌ  Ｒｅｃｅｉｖｅｄ  Ｐｏｗｅｒ）を測定し、その上位に位置するｅＮｏｄｅＢをＣｏＭＰセットとして選択する方法が挙げられる。【０００９】
例えば、基地局が、ユーザー端末のために選択された協調グループにおけるセルのＣｅｌｌ  ＩＤが付けられた協調グループ設定シグナリングを、ユーザー端末に送信し、ユーザー端末が、協調グループ設定シグナリングに付けられた、自端末のために選択された協調グループにおけるセルのＣｅｌｌ  ＩＤによって、協調グループ設定を行なう協調グループ設定方法について提案がなされている（例えば、特許文献１を参照のこと）。【００１０】
また、基地局が、全周波数帯域の一部ずつを、単一基地局送信（第１の送信方式）と複数基地局送信（第２の送信方式）それぞれに用いる帯域に割り当て、その一方について受けた受信品質を示すフィードバック情報に基づいてどちらの送信方式を使用するかを決定する、すなわち、フィードバックの情報を全周波数帯域の一部の受信品質を示す情報に限定してフィードバック情報量を低減する無線通信方法について提案がなされている（例えば、特許文献２を参照のこと）。【００１１】
また、各基地局装置が、対象端末装置と通信可能な基地局装置との間の通信品質を示す品質情報を対象端末装置から受信するとともに、他の基地局装置のセル内に存在する端末装置との通信スケジュールを示すスケジュール情報を取得して、対象端末装置に対する基地局として機能させるいくつかの基地局装置を品質情報とスケジュール情報に基づいて選択する無線通信システムについて提案がなされている（例えば、特許文献３を参照のこと）。【００１２】
ポイント・セレクションを行なう際、ＵＥ端末にとって必要なｅＮｏｄｅＢを決定することを考慮すべきなのは勿論であるが、必要以上のｅＮｏｄｅＢをＣｏＭＰに使用しないことも重要である。何故ならば、必要以上のｅＮｏｄｅＢをＣｏＭＰセットに組み込むと、システム全体のスループットを低下させるとともに、近隣への不要電波の放射を増大することになるからである。例えば、ｅＮｏｄｅＢ＃１とｅＮｏｄｅＢ＃２をＣｏＭＰセットとしてダウンリンクの送信を行なえばＵＥ端末にとって十分な伝送品質が得られる場合に、さらにｅＮｏｄｅＢ＃３をＣｏＭＰセットに追加すると、ｅＮｏｄｅＢ＃３が近隣に不要な電波を放射することにより、干渉源となる。したがって、必要な品質を満たす、必要最小限のｅＮｏｄｅＢでＣｏＭＰセットを構成することが重要である。【００１３】
ポイント・セレクションの頻度への要求
ポイント・セレクションは、ある一定期間毎に行なう必要がある（すなわち、ＣｏＭＰセットを一定時間毎に更新する必要がある）。つまり、ＵＥ端末のＣｏＭＰセットを、準静的（Ｓｅｍｉ−Ｓｔａｔｉｃ）に更新するか、動的（Ｄｙｎａｍｉｃ）に更新するかという問題がある。ＵＥ端末の移動を考慮すると、ＣｏＭＰセットを動的に更新する、ダイナミック・ポイント・セレクションが望ましい。【００１４】
ダイナミック・ポイント・セレクションで考慮すべき基本的事項
ダイナミック・ポイント・セレクションを行なう場合、システム内での通信シーケンス中でリファレンス信号が占めることによるスループットの低下、言い換えればリファレンス信号によるダウンリンクのオーバーヘッドを考慮する必要がある。【００１５】
また、ＵＥ端末が頻繁にリファレンス信号の測定などを行なうことによるＵＥ端末の消費電力の増加を考慮する必要がある。【００１６】
さらに、ＵＥ端末がリファレンス信号の測定結果をｅＮｏｄｅＢへフィードバックすることにより、アップリンクのオーバーヘッドが増えることも考慮する必要がある。
【先行技術文献】
【特許文献】
【００１７】
【特許文献１】特開２０１１−１９３４４１号公報
【特許文献２】特開２０１１−６１７２８号公報
【特許文献３】特開２０１０−２５８６１２号公報
【発明の概要】
【発明が解決しようとする課題】
【００１８】
本明細書で開示する技術の目的は、ＣｏＭＰ技術を適用し、リファレンス信号を受信したＵＥ端末からのフィードバックに基づいてダイナミック・ポイント・セレクションを好適に行なうことができる、優れた無線通信装置及び無線通信方法、並びに無線通信システムを提供することにある。【００１９】
本明細書で開示する技術のさらなる目的は、リファレンス信号によるダウンリンク並びにアップリンクのオーバーヘッドを抑制しつつ、ポイント・セレクションの更新頻度を向上させることができる、優れた無線通信装置及び無線通信方法、並びに無線通信システムを提供することにある。【００２０】
本明細書で開示する技術のさらなる目的は、リファレンス信号の測定を行なうＵＥ端末の消費電力を抑制しつつ、ポイント・セレクションの更新頻度を向上させることができる、優れた無線通信装置及び無線通信方法、並びに無線通信システムを提供することにある。
【課題を解決するための手段】
【００２１】
本願は、上記課題を参酌してなされたものであり、請求項１に記載の技術は、
自装置のための多地点協調送受信を行なう協調グループの決定のために測定するリファレンス信号の種類を設定する測定制御部と、
各基地局から送信される、前記測定制御部で設定された種類のリファレンス信号を、前記協調グループ決定用に測定するリファレンス信号測定部と、
を具備する無線通信装置である。【００２２】
本願の請求項２に記載の技術によれば、請求項１に記載の無線通信装置の測定制御部は、現在のセルで適用されているシナリオに応じて、協調グループの決定のために測定するリファレンス信号の種類を設定するように構成されている。【００２３】
本願の請求項３に記載の技術によれば、各基地局は、同一のセル識別子を持つ基地局間で互いに異なる場所に割り当てることが可能で送信周期を調整可能な第１のリファレンス信号と、同一のセル識別子を持つ基地局が同一の場所を使用する第２のリファレンス信号を送信するようになっており、請求項２に記載の無線通信装置の測定制御部は、同じ大基地局に従属する各基地局に同一のセル識別子が割り当てられる第１のシナリオでは、第１のリファレンス信号を協調グループ決定のための測定用に設定し、同じ大基地局に従属しても基地局毎に独自のセル識別子が割り当てられる第２のシナリオでは、第２のリファレンス信号を協調グループ決定のための測定用に設定するように構成されている。【００２４】
本願の請求項４に記載の技術によれば、請求項１に記載の無線通信装置の測定制御部は、基地局からの通知に基づいて、協調グループの決定のために測定するリファレンス信号の種類を設定するように構成されている。【００２５】
本願の請求項５に記載の技術によれば、各基地局は、同一のセル識別子を持つ基地局間で互いに異なる場所に割り当てることが可能で送信周期を調整可能な第１のリファレンス信号と、同一のセル識別子を持つ基地局が同一の場所を使用する第２のリファレンス信号を送信ようになっており、請求項４に記載の無線通信装置の測定制御部は、基地局から通知された特定のセル識別子を持つ基地局に対しては第１のリファレンス信号を協調グループ決定のための測定用に設定し、それ以外のセル識別子を持つ基地局に対しては第２のリファレンス信号を協調グループ決定のための測定用に設定するように構成されている。【００２６】
また、本願の請求項６に記載の技術は、
同一のセル識別子を持つ基地局間で互いに異なる場所に割り当てることが可能で送信周期を調整可能な第１のリファレンス信号と、同一のセル識別子を持つ基地局同士で同一の場所を使用する第２のリファレンス信号を送信するリファレンス信号送信部と、
現在のセルで適用されているシナリオに応じて、自装置に属する端末に対して、第１のリファレンス信号を用いて協調グループ決定用の測定を行なうべきセル識別子を通知する通知部と、
を具備する無線通信装置である。【００２７】
本願の請求項７に記載の技術によれば、請求項６に記載の無線通信装置の通知部は、同じ大基地局に従属する各基地局に同一のセル識別子が割り当てられるシナリオでは、自装置に属する端末に対して、第１のリファレンス信号を用いて協調グループ決定用の測定を行なうべきセル識別子を通知するように構成されている。【００２８】
また、本願の請求項８に記載の技術は、
自装置に従属する基地局の情報を取得する従属基地局情報取得部と、
前記従属基地局情報取得部が取得した基地局の情報に基づいて、多地点協調送受信を行なう協調グループの決定用のリファレンス信号を送信する頻度を制御する送信頻度制御部と、
前記送信頻度制御部による制御情報を各基地局に通知する通知部と、
を具備する無線通信装置である。【００２９】
本願の請求項９に記載の技術によれば、請求項８に記載の無線通信装置の従属基地局情報取得部は、自装置に従属する基地局から、多地点協調送受信を必要とする端末の台数に関する情報を取得し、送信頻度制御部は、多地点協調送受信を必要とする端末の台数に応じてリファレンス信号を送信する頻度を制御するように構成されている。【００３０】
本願の請求項１０に記載の技術によれば、請求項９に記載の無線通信装置の送信頻度制御部は、多地点協調送受信を必要とする端末の台数が少ないときには、リファレンス信号を送信する周期を長くするように構成されている。【００３１】
また、本願の請求項１１に記載の技術は、
第１のリファレンス信号を送信するリファレンス信号送信部と、
端末から第１のリファレンス信号の測定結果のフィードバックを取得するフィードバック情報取得部と、
前記端末から送信される第２のリファレンス信号を測定するリファレンス信号を測定する測定部と、
前記フィードバック情報取得部が取得したフィードバック情報と、前記測定部の測定結果に基づいて、端末局のための多地点協調送受信を行なう協調グループを決定するポイント・セレクション部と、
を具備する無線通信装置である。【００３２】
本願の請求項１２に記載の技術によれば、請求項１１に記載の無線通信装置のポイント・セレクション部は、ＴＤＤが適用される場合に、前記フィードバック情報取得部が取得したフィードバック情報とともに、前記測定部の測定結果に基づいて、端末局のための多地点協調送受信を行なう協調グループを決定するように構成されている。【００３３】
また、本願の請求項１３に記載の技術は、
各基地局から送信されるリファレンス信号を、自装置のための多地点協調送受信を行なう協調グループ決定用に測定するリファレンス信号測定部と、
自装置の移動速度に基づいて、前記リファレンス信号測定部において測定を行なう頻度を制御する測定頻度制御部と、
を具備する無線通信装置である。【００３４】
本願の請求項１４に記載の技術によれば、請求項１３に記載の無線通信装置の測定頻度制御部は、自装置の移動速度が大きいときだけ、前記リファレンス信号測定部における測定を行なわせるように構成されている。【００３５】
また、本願の請求項１５に記載の技術は、
各基地局から送信されるリファレンス信号を、自装置のための多地点協調送受信を行なう協調グループ決定用に測定するリファレンス信号測定部と、
前記リファレンス信号測定部における測定結果に基づいて、前記リファレンス信号測定部における基地局毎の測定頻度を制御する測定頻度制御部と、
を具備する無線通信装置である。【００３６】
本願の請求項１６に記載の技術によれば、請求項１５に記載の無線通信装置の測定頻度制御部は、前記リファレンス信号測定部における測定結果に基づいて通信品質の劣化が検出された基地局についての測定頻度を高くするように構成されている。【００３７】
本願の請求項１７に記載の技術によれば、請求項１５に記載の無線通信装置の測定頻度制御部は、協調グループの中で通信品質が劣化した基地局を検出したときに、協調グループに含まれていない新規の基地局についての測定頻度を高くするように構成されている。【００３８】
本願の請求項１８に記載の技術によれば、請求項８に記載の無線通信装置の従属基地局情報取得部は、自装置に従属する基地局の配置情報を取得し、送信頻度制御部は、自装置に従属する基地局の密度に応じてリファレンス信号を送信する頻度を制御するように構成されている。【００３９】
本願の請求項１９に記載の技術によれば、請求項１８に記載の無線通信装置の送信頻度制御部は、自装置に従属する基地局の密度が大きいエリアでは、リファレンス信号を送信する頻度を高くするように構成されている。【００４０】
また、本願の請求項２０に記載の技術は、
自装置のための多地点協調送受信を行なう協調グループに組み込むことが可能な基地局の配置情報を取得する基地局情報取得部と、
取得した基地局の配置情報に基づいて、基地局からのリファレンス信号を前記協調グループ決定用に測定する頻度を制御する測定頻度制御部と、
前記測定頻度制御部で制御する頻度に従って、基地局からのリファレンス信号を測定するリファレンス信号測定部と、
を具備する無線通信装置である。【００４１】
本願の請求項２１に記載の技術によれば、請求項２０に記載の無線通信装置の測定頻度制御部は、協調グループに組み込むことが可能な基地局の密度が大きいエリアでは、リファレンス信号を測定する頻度を高くするように構成されている。【００４２】
また、本願の請求項２２に記載の技術は、
キャリア・アグリゲーションを行なう際に、多地点協調送受信を行なう重要性をコンポーネント・キャリア毎に判定するキャリア判定部と、
前記キャリア判定部における判定結果に基づいて、各コンポーネント・キャリアで多地点協調送受信を行なう協調グループの決定用のリファレンス信号を送信する頻度を制御する送信頻度制御部と、
前記送信頻度制御部による制御情報を各基地局に通知する通知部と、
を具備する無線通信装置である。【００４３】
本願の請求項２３に記載の技術によれば、請求項２２に記載の無線通信装置の送信頻度制御部は、多地点協調送受信を行なう重要性が高いコンポーネント・キャリアでリファレンス信号を送信する頻度を高くするように構成されている。【００４４】
また、本願の請求項２４に記載の技術は、
キャリア・アグリゲーションを行なう際に、周波数に応じて各コンポーネント・キャリアで多地点協調送受信を行なう協調グループの決定用のリファレンス信号を送信する頻度を制御する送信頻度制御部と、
前記送信頻度制御部による制御情報を各基地局に通知する通知部と、
を具備する無線通信装置である。【００４５】
本願の請求項２５に記載の技術によれば、請求項２４に記載の無線通信装置の送信頻度制御部は、周波数が高いコンポーネント・キャリアでリファレンス信号を送信する頻度を高くするように構成されている。【００４６】
また、本願の請求項２６に記載の技術は、
キャリア・アグリゲーションを行なう際に、周波数的な配置に応じて各コンポーネント・キャリアで多地点協調送受信を行なう協調グループの決定用のリファレンス信号を送信する頻度を制御する送信頻度制御部と、
前記送信頻度制御部による制御情報を各基地局に通知する通知部と、
を具備する無線通信装置である。【００４７】
本願の請求項２７に記載の技術によれば、請求項２６に記載の無線通信装置の送信頻度制御部は、周波数的に連続して配置されたコンポーネント・キャリアのうち一方でのみリファレンス信号を送信するようにするように構成されている。【００４８】
本願の請求項２８に記載の技術によれば、請求項２６に記載の無線通信装置の送信頻度制御部は、周波数的に連続して配置された各コンポーネント・キャリアで時間的及び周波数的に重ならないようにリファレンス信号を送信するようにするように構成されている。【００４９】
本願の請求項２９に記載の技術によれば、請求項８に記載の無線通信装置の従属基地局情報取得部は、自装置に従属する各基地局と無線リンク制御接続状態にある端末の台数に関する情報を取得し、送信頻度制御部は、無線リンク制御接続状態にある端末の台数に応じて自装置に従属する各基地局がリファレンス信号を送信する頻度を制御するように構成されている。【００５０】
本願の請求項３０に記載の技術によれば、請求項２９に記載の無線通信装置の送信頻度制御部は、無線リンク制御接続状態にある端末の台数が多い基地局からリファレンス信号を送信する頻度を高くするように構成されている。【００５１】
また、本願の請求項３１に記載の技術は、
自装置のための多地点協調送受信を行なう協調グループの決定のために測定するリファレンス信号の種類を設定する測定制御ステップと、
各基地局から送信される、前記測定制御ステップで設定された種類のリファレンス信号を、前記協調グループ決定用に測定するリファレンス信号測定ステップと、
を有する無線通信方法である。【００５２】
また、本願の請求項３２に記載の技術は、
同一のセル識別子を持つ基地局間で互いに異なる場所に割り当てることが可能で送信周期を調整可能な第１のリファレンス信号と、同一のセル識別子を持つ基地局同士で同一の場所を使用する第２のリファレンス信号を送信するリファレンス信号送信ステップと、
現在のセルで適用されているシナリオに応じて、自装置に属する端末に対して、第１のリファレンス信号を用いて協調グループ決定用の測定を行なうべきセル識別子を通知する通知ステップと、
を有する無線通信方法である。【００５３】
また、本願の請求項３３に記載の技術は、
自装置に従属する基地局の情報を取得する従属基地局情報取得ステップと、
前記従属基地局情報取得ステップで取得した基地局の情報に基づいて、多地点協調送受信を行なう協調グループの決定用のリファレンス信号を送信する頻度を制御する送信頻度制御ステップと、
前記送信頻度制御ステップによる制御情報を各基地局に通知する通知ステップと、
を有する無線通信方法である。【００５４】
また、本願の請求項３４に記載の技術は、
端末から第１のリファレンス信号の測定結果のフィードバックを取得するフィードバック情報取得ステップと、
前記端末から送信される第２のリファレンス信号を測定するリファレンス信号を測定する測定ステップと、
前記フィードバック情報取得ステップで取得したフィードバック情報と、前記測定ステップの測定結果に基づいて、端末局のための多地点協調送受信を行なう協調グループを決定するポイント・セレクション・ステップと、
を有する無線通信方法である。【００５５】
また、本願の請求項３５に記載の技術は、
各基地局から送信されるリファレンス信号を測定する頻度を自装置の移動速度に基づいて制御する測定頻度制御ステップと、
前記測定頻度制御ステップで制御される頻度に従って、リファレンス信号を、自装置のための多地点協調送受信を行なう協調グループ決定用に測定するリファレンス信号測定ステップと、
を有する無線通信方法である。【００５６】
また、本願の請求項３６に記載の技術は、
各基地局から送信されるリファレンス信号を、自装置のための多地点協調送受信を行なう協調グループ決定用に測定するリファレンス信号測定ステップと、
前記リファレンス信号測定ステップにおける測定結果に基づいて、前記リファレンス信号測定部における基地局毎の測定頻度を制御する測定頻度制御ステップと、
を有する無線通信方法である。【００５７】
また、本願の請求項３７に記載の技術は、
自装置のための多地点協調送受信を行なう協調グループに組み込むことが可能な基地局の配置情報を取得する基地局情報取得ステップと、
取得した基地局の配置情報に基づいて、基地局からのリファレンス信号を前記協調グループ決定用に測定する頻度を制御する測定頻度制御ステップと、
前記測定頻度制御ステップで制御する頻度に従って、基地局からのリファレンス信号を測定するリファレンス信号測定ステップと、
を有する無線通信方法である。【００５８】
また、本願の請求項３８に記載の技術は、
キャリア・アグリゲーションを行なう際に、多地点協調送受信を行なう重要性をコンポーネント・キャリア毎に判定するキャリア判定ステップと、
前記キャリア判定ステップにおける判定結果に基づいて、各コンポーネント・キャリアで多地点協調送受信を行なう協調グループの決定用のリファレンス信号を送信する頻度を制御する送信頻度制御ステップと、
前記送信頻度制御ステップによる制御情報を各基地局に通知する通知ステップと、
を有する無線通信方法である。【００５９】
また、本願の請求項３９に記載の技術は、
キャリア・アグリゲーションを行なう際に、周波数に応じて各コンポーネント・キャリアで多地点協調送受信を行なう協調グループの決定用のリファレンス信号を送信する頻度を制御する送信頻度制御ステップと、
前記送信頻度制御ステップによる制御情報を各基地局に通知する通知ステップと、
を有する無線通信方法である。【００６０】
また、本願の請求項４０に記載の技術は、
キャリア・アグリゲーションを行なう際に、周波数的な配置に応じて各コンポーネント・キャリアで多地点協調送受信を行なう協調グループの決定用のリファレンス信号を送信する頻度を制御する送信頻度制御ステップと、
前記送信頻度制御ステップによる制御情報を各基地局に通知する通知ステップと、
を有する無線通信方法である。【００６１】
また、本願の請求項４１に記載の技術は、
それぞれ複数の種類のリファレンス信号を送信する複数の基地局と、
自局のための多地点協調送受信を行なう協調グループの決定のために測定するリファレンス信号の種類を設定して、リファレンス信号の測定を行なう端末局と、
を具備する無線通信システムである。【００６２】
但し、ここで言う「システム」とは、複数の装置（又は特定の機能を実現する機能モジュール）が論理的に集合した物のことを言い、各装置や機能モジュールが単一の筐体内にあるか否かは特に問わない（以下、同様）。【００６３】
また、本願の請求項４２に記載の技術は、
同一のセル識別子を持つ基地局間で互いに異なる場所に割り当てることが可能で送信周期を調整可能な第１のリファレンス信号と、同一のセル識別子を持つ基地局同士で同一の場所を使用する第２のリファレンス信号をそれぞれ送信する複数の基地局と、
リファレンス信号を受信して自局のための多地点協調送受信を行なう協調グループの決定用の測定を行なう端末局と、
を具備し、
前記複数の基地局うち少なくともいずれか１つは、自局に属する端末局に対して、第１のリファレンス信号を用いて協調グループ決定用の測定を行なうべきセル識別子を通知する、
無線通信システムである。【００６４】
また、本願の請求項４３に記載の技術は、
リファレンス信号を送信する複数の基地局と、
基地局からのリファレンス信号を受信して自局のための多地点協調送受信を行なう協調グループの決定用の測定を行なう端末局と、
を具備し、
前記複数の基地局うち少なくともいずれか１つは、自局に従属する基地局から取得した情報に基づいて、各基地局がリファレンス信号を送信する頻度を制御する、
無線通信システムである。【００６５】
また、本願の請求項４４に記載の技術は、
第１のリファレンス信号を送信する複数の基地局と、
第１のリファレンス信号を受信して自局のための多地点協調送受信を行なう協調グループの決定用の測定を行なって基地局にフィードバックするとともに第２のリファレンス信号を送信する端末局と、
を具備し、
前記複数の基地局うち少なくともいずれか１つは、前記端末局からのフィードバック情報と、自局での第２のリファレンス信号の測定結果に基づいて、前記端末局のための多地点協調送受信を行なう協調グループを決定する、
無線通信システムである。【００６６】
また、本願の請求項４５に記載の技術は、
リファレンス信号を送信する複数の基地局と、
自局の移動速度に応じた頻度でリファレンス信号を受信して、自局のための多地点協調送受信を行なう協調グループの決定用の測定を行なう端末局と、
を具備する無線通信システムである。【００６７】
また、本願の請求項４６に記載の技術は、
リファレンス信号を送信する複数の基地局と、
基地局からのリファレンス信号を受信して、自局のための多地点協調送受信を行なう協調グループの決定用の測定を行なう端末局と、
を具備し、
前記端末局は、各基地局からのリファレンス信号の測定結果に基づいて、基地局毎の測定頻度を制御する、
無線通信システムである。【００６８】
また、本願の請求項４７に記載の技術は、
リファレンス信号を送信する複数の基地局と、
基地局からのリファレンス信号を受信して、自局のための多地点協調送受信を行なう協調グループの決定用の測定を行なう端末局と、
を具備し、
前記端末局は、協調グループに組み込むことが可能な基地局の配置情報に基づいて、基地局からのリファレンス信号を測定する頻度を制御する、
無線通信システムである。【００６９】
また、本願の請求項４８に記載の技術は、
リファレンス信号を送信する複数の基地局と、
基地局からのリファレンス信号を受信して、自局のための多地点協調送受信を行なう協調グループの決定用の測定を行なう端末局と、
を具備し、
前記複数の基地局うち少なくともいずれか１つは、キャリア・アグリゲーションを行なう際に、各コンポーネント・キャリアで多地点協調送受信を行なう重要性に基づいて、コンポーネント・キャリア毎にリファレンス信号を送信する頻度を制御する、
無線通信システムである。【００７０】
また、本願の請求項４９に記載の技術は、
リファレンス信号を送信する複数の基地局と、
基地局からのリファレンス信号を受信して、自局のための多地点協調送受信を行なう協調グループの決定用の測定を行なう端末局と、
を具備し、
前記複数の基地局うち少なくともいずれか１つは、キャリア・アグリゲーションを行なう際に、各コンポーネント・キャリアの周波数に応じて、コンポーネント・キャリア毎にリファレンス信号を送信する頻度を制御する、
無線通信システムである。【００７１】
また、本願の請求項５０に記載の技術は、
リファレンス信号を送信する複数の基地局と、
基地局からのリファレンス信号を受信して、自局のための多地点協調送受信を行なう協調グループの決定用の測定を行なう端末局と、
を具備し、
前記複数の基地局うち少なくともいずれか１つは、キャリア・アグリゲーションを行なう際に、各コンポーネント・キャリアの周波数的な配置に応じて、周波数的に連続して配置されたコンポーネント・キャリアでそれぞれリファレンス信号を送信する頻度を制御する、
無線通信システムである。
【発明の効果】
【００７２】
本明細書で開示する技術によれば、ポイント・セレクションに対するリファレンス信号によるダウンリンク並びにアップリンクのオーバーヘッドを抑制しつつ、ポイント・セレクションの更新頻度を向上させることができる、優れた無線通信装置及び無線通信方法、並びに無線通信システムを提供することができる。【００７３】
また、本明細書で開示する技術によれば、リファレンス信号の測定を行なうＵＥ端末の消費電力を抑制しつつ、ポイント・セレクションの更新頻度を向上させることができる、優れた無線通信装置及び無線通信方法、並びに無線通信システムを提供することができる。【００７４】
本明細書で開示する技術のさらに他の目的、特徴や利点は、後述する実施形態や添付する図面に基づくより詳細な説明によって明らかになるであろう。
【図面の簡単な説明】
【００７５】
【図１】図１は、Ｍａｃｒｏ  ｅＮｏｄｅＢとこれに従属する複数のＲＲＨが接続されている形態を模式的に示した図である。
【図２】図２は、シナリオ４においてのみＣＳＩ−ＲＳを用いてポイント・セレクションを行なう通信シーケンス例を示した図である。
【図３】図３は、ＣｏＭＰを必要としているＵＥ端末の台数に基づいてＣＳＩ−ＲＳの送信周期を制御する処理手順を示したフローチャートである。
【図４】図４は、ＳＲＳとＣＳＩ−ＲＳの両方を使用してポイント・セレクション用の測定を行なう通信シーケンス例を示した図である。
【図５】図５は、ＵＥ端末が自局の移動速度に応じた測定周期でｅＮｏｄｅＢに測定結果をフィードバックする処理手順を示したフローチャートである。
【図６】図６は、ｅＮｏｄｅＢが所定の送信周期でＣＳＩ−ＲＳを送信するのに対し、ＵＥ端末が自局で設定した測定周期でＣＳＩ−ＲＳを受信する通信シーケンス例を示した図である。
【図７】図７は、リファレンス信号の測定頻度を制御して、品質の劣化が大きいｅＮｏｄｅＢをＣｏＭＰセットから外すための処理手順を示したフローチャートである。
【図８】図８は、ＵＥ端末で各ｅＮｏｄｅＢの品質を測定した結果を模式的に示した図である。
【図９】図９は、リファレンス信号の測定頻度を制御して、ＣｏＭＰセットに新規に加えるべきｅＮｏｄｅＢを探索するための処理手順を示したフローチャートである。
【図１０】図１０は、セル内に存在するＲＲＨの分布例を示した図である。
【図１１】図１１は、ＲＲＨの密度に応じてｅＮｏｄｅＢからのＣＳＩ−ＲＳの送信頻度を制御するための処理手順を示したフローチャートである。
【図１２】図１２は、ＲＲＨの密度に応じてＵＥ端末がｅＮｏｄｅＢからのＣＳＩ−ＲＳの受信頻度を制御するための処理手順を示したフローチャートである。
【図１３】図１３は、キャリア・アグリゲーションとＣｏＭＰ技術を組み合わせる際に、セコンダリー・キャリアをＣｏＭＰに特化したコンポーネント・キャリアとして運用する例を示した図である。
【図１４】図１４は、キャリア・アグリゲーションとＣｏＭＰ技術を組み合わせる際に、周波数に応じてコンポーネント・キャリアでのＣＳＩ−ＲＳの送信頻度を制御する例を示した図である。
【図１５】図１５は、周波数軸上で隣接するコンポーネント・キャリア１とコンポーネント・キャリア２のうち、一方でのみＣＳＩ−ＲＳを送信する例を示した図である。
【図１６】図１６は、周波数軸上で隣接するコンポーネント・キャリア１とコンポーネント・キャリア２において、時間軸及び周波数軸上で重ならないように分担してＣＳＩ−ＲＳを送信する例を示した図である。
【図１７】図１７は、ＣｏＭＰセットへの使用状況に応じてＲＲＨのＣＳＩ−ＲＳの送信周期を制御する処理手順をフローチャートである。
【図１８】図１８は、Ｍａｃｒｏ  ｅＮｏｄｅＢとして動作する無線通信装置１８００の構成例を模式的に示した図である。
【図１９】図１９は、Ｐｉｃｏ  ｅＮｏｄｅＢ若しくはＲＲＨとして動作する無線通信装置１９００の構成例を模式的に示した図である。
【図２０】図２０は、ＵＥ端末として動作する無線通信装置２０００の構成例を模式的に示した図である。
【図２１】図２１は、ＬＴＥのダウンリンクの無線フレーム構成を示した図である。
【図２２】図２２は、サブフレームにＣＲＳが挿入されている様子を示した図である。
【発明を実施するための形態】
【００７６】
以下、図面を参照しながら本明細書で開示する技術の実施形態について詳細に説明する。
【００７７】
ＬＴＥでは、ＯＦＤＭ変調方式を基本とした通信方式であり、また、ダウンリンクの無線アクセス方式にはＯＦＤＭＡが採用されている。図２１には、ＬＴＥのダウンリンクの無線フレーム構成を示している。図示のように、無線フレームは、時間単位の短い順に、タイムスロット（Ｓｌｏｔ）、サブフレーム（Ｓｕｂｆｒａｍｅ）、無線フレーム（Ｒａｄｉｏ  Ｆｒａｍｅ）の３層に階層化されている。
【００７８】
０．５ミリ秒長のタイムスロットは、７個のＯＦＤＭシンボルで構成され（但し、通常のユニキャスト伝送の場合）、ユーザー（ＵＥ端末）側で受信する際の復調処理の単位となる。１ミリ秒長のサブフレームは、連続する２個のタイムスロット（１４ＯＦＤＭシンボル）で構成され、訂正符号化された１データ・パケットの送信時間単位となる。１０ミリ秒長の無線フレームは、連続する１０個のサブフレーム（すなわち、２０個のタイムスロット）で構成され、すべての物理チャネルの多重に対する基本単位となる。サブフレームは、ｅＮｏｄｅＢからの制御信号として使う制御領域ＰＤＣＣＨと、ユーザー・データとして使うデータ領域ＰＤＳＣＨの部分に分けられる。
【００７９】
各ユーザーは、異なるサブキャリヤ、又は、異なるタイムスロットを使用すれば、互いに干渉することなく通信することができる。ＬＴＥでは、連続するサブキャリヤをブロック化して、「リソース・ブロック（ＲＢ）」と呼ばれる、無線リソース割り当ての最小単位が定義される。基地局（ｅＮｏｄｅＢ）に搭載されているスケジューラーは、各ユーザーに対して、リソース・ブロック単位で無線リソースが割り当てる。リソース・ブロックは、１２サブキャリヤ×１タイムスロット（７ＯＦＤＭシンボル＝０．５ミリ秒）からなる。また、サブフレームの先頭から最大３ＯＦＤＭシンボルが、コントロール・チャネルすなわちＰＤＣＣＨに使用される。基地局のスケジューラーは、サブフレーム毎すなわち１ミリ秒間隔で、リソース・ブロックの割り当てを行なうことができる。リソース・ブロックの位置情報をスケジューリングと呼ぶ。アップリンクのスケジューリング情報及びダウンリンクのスケジューリング情報は、ともにダウンリンクのコントロール・チャネル内に記載される。各ユーザーは、コントロール・チャネルを見て、自分に割り当てられたリソース・ブロックを認識することができる。
【００８０】
０．５ミリ長のタイムスロットは、各ユーザーが使用できる割り当ての最小単位である。基地局（ｅＮｏｄｅＢ）に搭載されているスケジューラーは、ユーザー毎にタイムスロット単位で使用してもよいタイムスロットを割り当てる。ＬＴＥでは、ＦＤＤとＴＤＤの２通りの通信方式を選択することができる。ＴＤＤの場合には、１サブフレーム毎にアップリンク又はダウンリンクのいずれに使用するかを選択することができる。
【００８１】
ＬＴＥに準拠したデータ通信システムにＣｏＭＰを適用する場合、ＵＥ端末にとって必要な品質を満たす、必要最小限のｅＮｏｄｅＢでＣｏＭＰセットを構成することが重要である。また、ＵＥ端末の移動を考慮すると、ＣｏＭＰセットを動的に更新するダイナミック・ポイント・セレクションが望ましい。ポイント・セレクションの更新を行なうに際して、システム内での通信シーケンス中でリファレンス信号が占めることによるスループットの低下や、ＵＥ端末がリファレンス信号の測定結果をｅＮｏｄｅＢへフィードバックすることによるアップリンクのオーバーヘッドの増大、さらにはリファレンス信号の測定や測定結果のフィードバックに伴うＵＥ端末の消費電力の増大を考慮する必要がある。
【００８２】
ＵＥ端末側でｅＮｏｄｅＢの通信品質の測定に用いることができる、ｅＮｏｄｅＢから送信されるリファレンス信号には、ＣＲＳ、ＣＳＩ−ＲＳ、ＳＲＳなどがある。これらのリファレンス信号の測定は、一般に、さまざまな目的に用いることができる。第１の目的として、ＵＥ端末がハンドオーバー先のｅＮｏｄｅＢを探すことが挙げられる。Ｓｅｒｖｉｎｇ  ｅＮｏｄｅＢの品質が劣化したとき、ＵＥ端末は、次のハンドオーバー先のｅＮｏｄｅＢを探すために、隣接セルのｅＮｏｄｅＢについて測定を行なう。第２の目的として、チャネルの品質を取得することが挙げられる。これは、ダウンリンクの送信時にｅＮｏｄｅＢ側で用いるプリコーディングの値（ビームフォーミングを行なうためのアンテナの重み係数）を決定するためや、ｅＮｏｄｅＢのスケジューラーで各ＵＥ端末に無線リソースを振り分けるために、リファレンス信号の測定が行なわれる。そして、ポイント・セレクションのために必要な情報を得ることが、リファレンス信号を測定する新たな目的として追加される。
【００８３】
ここで、ＣＲＳ（Ｃｅｌｌ−ｓｐｅｃｉｆｉｃ  Ｒｅｆｅｒｅｎｃｅ  Ｓｉｇｎａｌ）は、ダウンリンクのサブフレームに挿入されるリファレンス信号であり、ＬＴＥの初期バージョンであるＲｅｌｅａｓｅ８から存在している。図２２には、サブフレームにＣＲＳが挿入されている様子を示している。図示の例では、先頭から３つ目までのＯＦＤＭシンボルがＰＤＣＣＨであり、４つ目以降のＯＦＤＭシンボルがＰＤＳＣＨである。同図中、黒で塗り潰したリソース・エレメント部分がＣＲＳの信号に相当するが、ＰＤＣＣＨ並びにＰＤＳＣＨの双方の領域にＣＲＳが挿入されている。
【００８４】
ＣＲＳは、ＰＤＳＣＨのユーザー・データかｅＮｏｄｅＢから送信されない場合でも、ｅＮｏｄｅＢから送信される。何故ならば、ＵＥ端末が、ｅＮｏｄｅＢとの間の同期獲得やチャネル推定、ｅＮｏｄｅＢの品質測定などのためにＣＲＳを常時使用することが想定されているからである。
【００８５】
ＣＲＳは、各ｅＮｏｄｅＢで同一の場所（すなわち、周波数、時間方向に同一のリソース・エレメント）を使用する（図２２中、黒で塗り潰したリソース・エレメントをＣＲＳの挿入場所として、各ｅＮｏｄｅＢで共通して使用する）。このため、ｅＮｏｄｅＢ同士で直交性を担保する必要があり、ｅＮｏｄｅＢ毎にシーケンスの異なる信号をＣＲＳに用いている。系列の数は合計で５０４系列存在する。ｅＮｏｄｅＢのＣｅｌｌ  ＩＤが異なれば、ＣＲＳの系列も異なるということになる。セル毎に固有という意味で、Ｃｅｌｌ  Ｓｐｅｃｉｆｉｃなリファレンス信号Ｃｅｌｌ−ｓｐｅｃｉｆｉｃ  Ｒｅｆｅｒｅｎｃｅ  Ｓｉｇｎａｌと呼ばれている。
【００８６】
ＣＲＳは、ダウンリンクのすべてのサブフレームに挿入されていることから、これをポイント・セレクション用のリファレンス信号として使用しても、オーバーヘッドが増えることはない。
【００８７】
また、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）は、ダウンリンク信号に含まれているリファレンス信号であるが、すべてのサブフレームに含まれる訳ではなく、一定周期毎に挿入される。例えば、５ミリ秒から８０ミリ秒毎に１回、１つのサブフレームでＣＳＩ−ＲＳを送信するように設定することができる。この周期の設定は、ＲＲＣ（Ｒａｄｉｏ  Ｒｅｓｏｕｒｃｅ  Ｃｏｎｔｒｏｌ：無線リンク制御接続）  Ｓｉｇｎａｌｉｎｇで準静的に変更することができる。
【００８８】
ＣＳＩ−ＲＳは、３ＧＰＰのＲｅｌｅａｓｅ１０で新たに導入されたリファレンス信号である。８×８のアンテナ環境のダウンリンク通信を行なうには８本のアンテナからのチャネルを取得する必要があり、ＣＳＩ−ＲＳは、そのために追加されたリファレンス信号である。ＣＳＩ−ＲＳのリファレンス信号の送信に使用する場所は、ｅＮｏｄｅＢ毎に専用のシグナリングでＵＥ端末側に通知しておくことが可能である。したがって、ＣＳＩ−ＲＳも、セル毎に固有な信号であり、Ｃｅｌｌ−ｓｐｅｃｉｆｉｃということができる。
【００８９】
サブフレーム中にＣＳＩ−ＲＳが挿入するリソース・エレメントの位置も、設定により変更することかできる。挿入する信号にも、ｅＮｏｄｅＢ間で直交性を向上させるためのシーケンスが用意されている。
【００９０】
ＣＳＩ−ＲＳをポイント・セレクション用のリファレンス信号として用いる場合について検討してみる。上述したように送信する周期を５ミリ秒から８０ミリ秒の間で設定することができることから、ＣＲＳ−ＲＳは、リファレンス信号の占めるオーバーヘッドを少なくすることができるという大きなメリットがある。また、同一のＣｅｌｌ  ＩＤを持つｅＮｏｄｅＢであっても、異なる場所にＣＳＩ−ＲＳを割り当てることも可能である。集中制御方式によりＣｏＭＰを実現する場合のように、ＲＲＨのような複数のＰｉｃｏ  ｅＮｏｄｅＢに同一のＣｅｌｌ  ＩＤを割り当てた場合であっても、ＣＳＩ−ＲＳを別々に設定すれば、ＵＥ端末は各ＲＲＨを区別して測定を行なうことが可能である。したがって、ＣＳＩ−ＲＳは、ポイント・セレクション用のリファレンス信号として有望である、と本発明者らは思料する。
【００９１】
また、ＳＲＳ（Ｓｏｕｎｄｉｎｇ  Ｒｅｆｅｒｅｎｃｅ  Ｓｉｎｇａｌ）は、アップリンクのサブフレームに含まれているリファレンス信号であり、３ＧＰＰのＲｅｌｅａｓｅ８から存在している。ＳＲＳは、該当するサブフレームの中で１４ＯＦＤＭシンボルの最後のＯＦＤＭシンボルのすべての周波数領域にわたって挿入される。ＳＲＳの挿入周期は、２ミリ秒から１６０ミリ秒まで変更することが可能である。ｅＮｏｄｅＢは、ＳＲＳを基にアップリンクのチャネルの状態を取得して、スケジューリングのための情報として使用する。
【００９２】
ＳＲＳを用いると、アップリンクのチャネルの状況を少ないオーバーヘッドで取得することができる。ＴＤＤのときにはチャネルの可逆性が担保されるので、ＴＤＤの場合には、ｅＮｏｄｅＢがダウンリンクのチャネルの状況を取得するためにもＳＲＳを使用することが可能である。
【００９３】
ＣｏＭＰを実現するシナリオとして、シナリオ１〜４がある。シナリオ１は、セルをセクター化して、セクター間でＣｏＭＰを行なうシナリオである。また、シナリオ２〜４は、ＲＲＨを用いてＣｏＭＰを行なうシナリオであるが、シナリオ２ではＲＲＨがＭａｃｒｏ  ｅＮｏｄｅＢと同等の大電力で送信するのに対し、シナリオ３〜４ではＲＲＨの送信電力が小さいことが想定される。シナリオ３ではＲＲＨ毎に独自のＣｅｌｌ  ＩＤが割り当てられるのに対し、シナリオ４では各ＲＲＨにＭａｃｒｏ  ｅＮｏｄｅＢと同じＣｅｌｌ  ＩＤが割り当てられる。
【００９４】
図１には、シナリオ３並びにシナリオ４に相当する、Ｍａｃｒｏ  ｅＮｏｄｅＢとこれに従属する複数のＲＲＨが接続されている形態を模式的に示している。ＲＨＨは、不感知対策のため、セル・エッジなどに配置されている。Ｍａｃｒｏ  ｅＮｏｄｅＢと各ＲＨＨ（若しくはＰｉｃｏ  ｅＮｏｄｅＢ）間は、光ファイバーなどで構成されるＸ２インターフェースを用いてベースバンド信号により接続されている。そして、Ｍａｃｒｏ  ｅＮｏｄｅＢは、各ＲＲＨのベースバンド信号処理及び制御を行ない、セル間の無線リソース制御を一括して行なう。Ｍａｃｒｏ  ｅＮｏｄｅＢとＲＲＨがＵＥ端末に対して同時にデータを送受信することにより、ＣｏＭＰを行なう。
【００９５】
図１に示すシステムにおいて、ポイント・セレクションに用いるリファレンス信号について考察してみる。
【００９６】
シナリオ３では、各ＲＲＨがそれぞれ独自のＣｅｌｌ  ＩＤを持ち、ＣＲＳの系列も異なる。したがって、各ＲＲＨからこのリファレンス信号が同時に送信されても、ＵＥ端末は、ＲＲＨ毎に品質を個別に取得することができる。すなわち、シナリオ３ではＣＲＳをポイント・セレクション用のリファレンス信号として使用することができる。
【００９７】
他方、シナリオ４では、各ＲＲＨにＭａｃｒｏ  ｅＮｏｄｅＢと同じＣｅｌｌ  ＩＤが割り当てられ、ＣＲＳの系列も同一である。このため、ＵＥ端末は、各ＲＲＨから同時の送信されるＣＲＳから、ＲＲＨ毎の品質を個別に取得することはできない。すなわち、シナリオ４ではＣＲＳをポイント・セレクション用のリファレンス信号に用いるのは困難である。このため、シナリオ４では、ＣＳＩ−ＲＳがポイント・セレクション用のリファレンス信号として有望視される。その場合、ＲＲＨ毎に異なる場所にＣＳＩ−ＲＳを割り当てて、ＵＥ端末側でＲＲＨ毎のチャネル情報を個別に取得できるようにする必要がある（既に述べたように、同一のＣｅｌｌ  ＩＤを持つｅＮｏｄｅＢであっても、異なる場所にＣＳＩ−ＲＳを割り当てることが可能である）。
【００９８】
ＣｏＭＰセットをダイナミックに更新する、すなわち、ダイナミック・ポイント・セレクションを実現するには、ＵＥ端末と各ｅＮｏｄｅＢの間のダウンリンクの品質を頻繁に評価する必要がある。しかし、頻繁に評価を行なうには、既に述べたように、リファレンス信号によるダウンリンク並びにアップリンクのオーバーヘッドと、ＵＥ端末の電力の消費の増加を考慮する必要がある。
【００９９】
ＣＳＩ−ＲＳを用いてポイント・セレクションを実施する場合の第１の課題：
ＣＲＳは、ダウンリンクのすべてのサブフレームに挿入されている。したがって、ＵＥ端末は、ＣＲＳを用いて頻繁に各ｅＮｏｄｅＢの品質の測定を行なうことが可能であり、ＣｏＭＰセットを変更する頻度が高くなるというメリットがある。しかしながら、シナリオ４の場合には、Ｍａｃｒｏ  ｅＮｏｄｅＢとこれに接続される各ＲＲＨが同一のＣｅｌｌ  ＩＤを持ち、同一のＣＲＳを送信するため、ＣＲＳに基づいてｅＮｏｄｅ毎に個別の測定を行なうことができない。すなわち、シナリオ４では、ＣＲＳをポイント・セレクション用のリファレンス信号に用いるのは困難である。
【０１００】
一方、ＣＳＩ−ＲＳは、シナリオ４でもポイント・セレクション用のリファレンス信号に使用できるが、送信周期が長いため測定の頻度が低下するため、ポイント・セレクションの更新頻度が低下する。また、ＣＳＩ−ＲＳの送信周期を短くすると、測定の頻度は向上するが、スループットが低下する、という第１の課題がある。
【０１０１】
上記第１の課題を解決する手段１として、ＵＥ端末が、シナリオ４のときだけＣＳＩ−ＲＳをポイント・セレクション用のリファレンス信号に使用し、それ以外のシナリオ１〜３ではＣＲＳをポイント・セレクション用のリファレンス信号に使用することが挙げられる。
【０１０２】
この手段１を実現するために、ＵＥ端末は、自分が現在存在しているセルがシナリオ４又はシナリオ１〜３のいずれであるかに応じて、ＣＳＩ−ＲＳとＣＲＳのどちらをポイント・セレクション用のリファレンス信号に使用するかを判断したい。ところが、ＵＥ端末は、自分が現在存在しているセルがシナリオ４又はシナリオ１〜３のいずれであるかを把握していない。そこで、ｅＮｏｄｅＢがＵＥ端末に対しＣＳＩ−ＲＳの測定を行なう旨を指定する方法や、ｅＮｏｄｅＢがＵＥ端末に対してシナリオ４である旨を指定する方法が考えられる。
【０１０３】
通常、ＣＳＩ−ＲＳは存在しており、ＵＥ端末毎にシナリオ４であるかシナリオ３であるかが変わる可能性がある。そこで、ｅＮｏｄｅＢがＵＥ端末に対して明示的に指示する手段を提供する。具体的には、ｅＮｏｄｅＢがＵＥ端末に対して、特定のＣｅｌｌ  ＩＤの測定はＣＳＩ−ＲＳを用いて行なう旨（すなわち、ポイント・セレクション用のリファレンス信号としてＣＳＩ−ＲＳを使用するＣｅｌｌ  ＩＤ）を、ＲＲＣ  Ｓｉｇｎａｌｉｎｇで通知する。
【０１０４】
図２には、シナリオ４においてのみＣＳＩ−ＲＳを用いてポイント・セレクションを行なう通信シーケンス例を示している。
【０１０５】
ｅＮｏｄｅＢは、ＵＥ端末に対して、ポイント・セレクション用の測定時に、指定したＣｅｌｌ  ＩＤについては、（ＣＲＳではなく）ＣＳＩ−ＲＳでポイント・セレクション用の測定を行なってフィードバックするよう、ＲＲＣ  Ｓｉｇｎａｌｉｎｇで指示する（Ｍ２０１）。
【０１０６】
一方、ＵＥ端末は、ポイント・セレクション用の測定を行なうが（Ｐ２０１）、上記の指示に従って、指定されたＣｅｌｌ  ＩＤについてはＣＳＩ−ＲＳで測定し、指定されていないＣｅｌｌ  ＩＤについてはＣＲＳで測定する。そして、ＵＥ端末は、各Ｃｅｌｌ  ＩＤのｅＮｏｄｅＢからのＣＲＳ又はＣＳＩ−ＲＳを測定した結果を、ｅＮｏｄｅＢにフィードバックする（Ｍ２０２）。
【０１０７】
ｅＮｏｄｅＢは、ＵＥ端末からフィードバックされた情報に基づいてポイント・セレクションを実施して、このＵＥ端末にとってのＣｏＭＰセットを決定する（Ｐ２０２）。
【０１０８】
その後、ポイント・セレクションの結果を反映したＣｏＭＰセットにより、ＵＥ端末とのデータ送受信が行なわれる（Ｍ２０３）。
【０１０９】
オペレーターによってはすべてのセルに単一のシナリオのみを適用する場合（シナリオ４を使用するオペレーターとシナリオ３を使用するオペレーターが混在する場合）もあれば、１つのオペレーターがセル毎に異なるシナリオを適用する場合もある。これらの場合、ＵＥ端末に対し、各シナリオに対応したポイント・セレクション用の測定を行なわせる必要がある。
【０１１０】
ＣＳＩ−ＲＳを用いてポイント・セレクションを実施する場合の第２の課題：
ＣＳＩ−ＲＳの送信周期が長い場合はオーバーヘッドが少ない。しかしながら、ポイント・セレクションの更新頻度を向上させるために、ＣＳＩ−ＲＳの送信周期を短くすると、オーバーヘッドが大きくなる、という第２の課題がある。
【０１１１】
上記第２の課題を解決する手段２−１として、ＣｏＭＰを必要としているＵＥ端末の台数に応じてＣＳＩ−ＲＳの送信周期若しくは送信頻度を制御することが挙げられる。
【０１１２】
例えば、ＣＳＩ−ＲＳの送信周期を長くすると、オーバーヘッドが低減するとともに、ｅＮｏｄｅＢ側の省電力化にもつながる。ＣｏＭＰを必要としているＵＥ端末が少なければポイント・セレクションの更新頻度を少なくしてもよいという考えに立脚するならば、ＣＳＩ−ＲＳの送信周期を長くすればよい。
【０１１３】
逆に、ＣＳＩ−ＲＳの送信周期を短くすると、ポイント・セレクションの更新頻度を向上させることにより、必要でなくなったｅＮｏｄｅＢを早期にＣｏＭＰセットから外すことができ、近隣への不要電波の放射を低減することができる。ＣｏＭＰを必要とするＵＥ端末が少なければ、ポイント・セレクションを実施するｅＮｏｄｅＢの負荷が小さいなどの考えに立脚するならば、ＣＳＩ−ＲＳの送信周期を短くすればよい。
【０１１４】
この手段２−１を実現するために、例えばｅＮｏｄｅＢ側で、ＣｏＭＰを必要としているＵＥ端末の台数を把握する手段と、この台数に基づいてＣＳＩ−ＲＳの送信周期を制御する手段を備えておく。
【０１１５】
ＣｏＭＰを必要としているＵＥ端末は、セル・エッジに存在するＵＥ端末と考えられる。そこで、ｅＮｏｄｅＢは、Ｔｉｍｉｎｇ  Ａｄｖａｎｔａｇｅ値や、電力制御で遠くにいると判断されるＵＥ端末の台数に基づいて、ＣｏＭＰを必要としているＵＥ端末の台数を推定することができる。
【０１１６】
図３には、ＣｏＭＰを必要としているＵＥ端末の台数に基づいてＣＳＩ−ＲＳの送信周期を制御する処理手順をフローチャートの形式で示している。
【０１１７】
まず、各ＲＲＨが、セル・エッジに存在するＵＥ端末の台数を、Ｔｉｍｉｎｇ  Ａｄｖａｎｔａｇｅ値や電力制御に基づいて把握すると、これをＭａｃｒｏ  ｅＮｏｄｅＢに通知する（ステップＳ３０１）。
【０１１８】
これに対し、Ｍａｃｒｏ  ｅＮｏｄｅＢは、各ＲＲＨでＣｏＭＰを必要としているＵＥ端末の台数を把握すると（ステップＳ３０２）、端末台数に基づいて、各ＲＲＨに必要なＣＳＩ−ＲＳの送信周期を決定して（ステップＳ３０３）、各ＲＲＨに通知する。
【０１１９】
そして、各ＲＲＨは、Ｍａｃｒｏ  ｅＮｏｄｅＢが決定した送信周期でＣＳＩ−ＲＳを送信する（ステップＳ３０４）。
【０１２０】
また、上記第２の課題を解決する手段２−２として、ＳＲＳとＣＳＩ−ＲＳの両方をポイント・セレクション用のリファレンス信号に使用して、ポイント・セレクションの更新頻度を向上させることが挙げられる。
【０１２１】
ＳＲＳは、アップリンクのサブフレームに含まれているリファレンス信号である（前述）。ＴＤＤのときにはチャネルの可逆性が担保されるので、ｅＮｏｄｅＢがダウンリンクのチャネルの状況を取得するためにもＳＲＳを使用することが可能である。
【０１２２】
図４には、ＳＲＳとＣＳＩ−ＲＳの両方を使用してポイント・セレクション用の測定を行なう通信シーケンス例を示している。但し、セル内ではＴＤＤが適用されているものとする。
【０１２３】
ｅＮｏｄｅＢからは、所定の送信周期でＣＳＩ−ＲＳが送信される。ＵＥ端末は、ＣＳＩ−ＲＳを使用してポイント・セレクション用の測定を行ない、その測定結果をｅＮｏｄｅＢに通知する。
【０１２４】
また、ｅＮｏｄｅＢは、ＵＥ端末からのアップリンクのサブフレームに含まれているＳＲＳを使用して、ポイント・セレクション用の測定を行なう。ＵＥ端末からのアップリンクの無線フレームは特に限定されない。例えば、ＵＥ端末がポイント・セレクション用の測定結果をフィードバックする無線フレームに含まれるＳＲＳを測定に使用することもできる。
【０１２５】
そして、ｅＮｏｄｅＢは、ＵＥ端末からフィードバックされた測定結果と自局で行なった測定結果に基づいてポイント・セレクションを実施し、このＵＥ端末にとってのＣｏＭＰセットを決定する。ポイント・セレクションの更新のための測定がＵＥ端末とｅＮｏｄｅＢの双方に分散されるので、ＵＥ端末にとっては測定の負荷が軽減される。その後、ポイント・セレクションの結果を反映したＣｏＭＰセットにより、ＵＥ端末とのデータ送受信が行なわれる。
【０１２６】
ＴＤＤが適用される場合、アップリンクのＳＲＳからもダウンリンクのチャネルの品質を特定することができる。したがって、図４に示したように、ダイナミック・ポイント・セレクションのために、ＳＲＳとＣＳＩ−ＲＳを併用することにより、ダウンリンクのオーバーヘッドが軽減されるとともに、ＵＥ端末の測定の負荷を抑えることができる。ポイント・セレクションの更新頻度を向上させるために、ＣＳＩ−ＲＳの送信頻度を挙げると、ダウンリンクのみのオーバーヘッドが大きくなるが、ＳＲＳとＣＳＩ−ＲＳを併用すると、アップリンクとダウンリンクのそれぞれに与えるオーバーヘッドを均等化することができる。
【０１２７】
ＦＤＤでは、アップリンクとダウンリンクのチャネルが異なるため、可逆性が担保されない。したがって、手段２−２は、ＴＤＤのトランスミッション・モードにおいてのみ有効である。
【０１２８】
ＣＳＩ−ＲＳを用いてポイント・セレクションを実施する場合の第３の課題：
ＵＥ端末が無意味にポイント・セレクション用の測定を行なうと、消費電力がいたずらに増大する、という第３の課題がある。
【０１２９】
上記第３の課題を解決する手段３−１として、ＵＥ端末が、自局の移動速度が大きく、ポイント・セレクションの更新頻度を向上させるべきときだけリファレンス信号を受信して測定することが挙げられる。
【０１３０】
例えば、ＵＥ端末は、ｅＮｏｄｅＢから所定周期で送信されるＣＳＩ−ＲＳをすべて受信して測定を行なう訳ではない。ＵＥ端末は、自局の移動速度に応じて必要な測定周期を決定して、ＣＳＩ−ＲＳの中から選択して受信し、その測定結果をｅＮｏｄｅＢにフィードバックして、ポイント・セレクションを実施してもらうようにする。
【０１３１】
図５には、ＵＥ端末が自局の移動速度に応じた測定周期でｅＮｏｄｅＢに測定結果をフィードバックする処理手順をフローチャートの形式で示している。
【０１３２】
ＵＥ端末は、自局の移動速度に基づいて、リファレンス信号の必要な測定周期を決定する（ステップＳ５０１）。
【０１３３】
そして、ＵＥ端末は、決定した測定周期に基づいてｅＮｏｄｅＢから所定の周期で送信されるＣＳＩ−ＲＳなどのリファレンス信号の測定を行ない（ステップＳ５０２）、その測定結果をｅＮｏｄｅＢにフィードバックする（ステップＳ５０３）。
【０１３４】
図６には、ｅＮｏｄｅＢが所定の送信周期でＣＳＩ−ＲＳを送信するのに対し、ＵＥ端末が自局で設定した測定周期でＣＳＩ−ＲＳを受信する通信シーケンス例を示している。ｅＮｏｄｅＢからは、例えばオペレーターが所望する更新頻度でダイナミック・ポイント・セレクションを実現することを想定した送信周期で、ＣＳＩ−ＲＳが送信される。他方、ＵＥ端末側では、独自に設定した測定周期で、ＣＳＩ−ＲＳの中から選択して測定する。ＵＥ端末は、上述したように自局の移動速度に応じて測定周期を設定することができるが、その他の状況を考慮して測定周期を設定するようにしてもよい。
【０１３５】
このように、ＵＥ端末自身が、ＣＳＩ−ＲＳの周期の中から選択して測定するようにして、不要な測定を省くことにより、自端末の消費電力を低減することができる。
【０１３６】
また、上記第３の課題を解決する手段３−２として、リファレンス信号の測定頻度を、ＣｏＭＰセットにおける品質に応じて制御することが挙げられる。
【０１３７】
手段３−２は、必要でないｅＮｏｄｅＢをＣｏＭＰセットから外すというシナリオに利用することができる。この場合、ＣｏＭＰセットの中のｅＮｏｄｅＢのうち、品質が劣化したｅＮｏｄｅＢについてのみ、ＵＥ端末がリファレンス信号の測定頻度を上げる。例えば、ＵＥ端末は、ＣｏＭＰセットに含まれる各ｅＮｏｄｅＢから所定の周期で送信されるＣＳＩ−ＲＳの中から、自局で設定した（送信周期よりも長い）測定周期により選択して測定を行なっている。そして、ＣｏＭＰセットの中のｅＮｏｄｅＢのうち、品質の劣化の閾値に達したｅＮｏｄｅＢが出現すると、そのｅＮｏｄｅＢだけ測定周期を短くして、頻繁に測定するようにする。手段３−２は、ＵＥ端末自身が不要な測定を省くという点で、手段３−１と類似する。
【０１３８】
通常のハンドオーバーでは、Ｓｅｒｖｉｎｇ  ｅＮｏｄｅＢの品質の劣化をトリガーにして、リファレンス信号の測定を開始する。これに対し、ポイント・セレクションの場合には、リファレンス信号の測定は行なっているが、ＣｏＭＰセットに含まれるｅＮｏｄｅＢのうち、品質の劣化が大きいものについて測定頻度を上げる。
【０１３９】
特定のｅＮｏｄｅＢについて測定頻度を制御することによって、例えば、品質の劣化が大きいｅＮｏｄｅＢをＣｏＭＰセットから外すというダイナミック・ポイント・セレクションを実現することができる。図７には、リファレンス信号の測定頻度を制御して、品質の劣化が大きいｅＮｏｄｅＢをＣｏＭＰセットから外すための処理手順をフローチャートの形式で示している。但し、図示の処理手順では、品質劣化の閾値として、測定頻度を上げるかどうかを判断する閾値１と、ＣｏＭＰセットから外すかどうかを判断する閾値２の２種類の閾値を利用するものとする。
【０１４０】
ＵＥ端末は、ＣｏＭＰセットに属するｅＮｏｄｅＢからのＣＳＩ−ＲＳを使用して、ｅＮｏｄｅＢ毎に設定された測定周期で測定を実施する（ステップＳ７０１）。
【０１４１】
ここで、ＣｏＭＰセットの中のｅＮｏｄｅＢのうち、特定のｅＮｏｄｅＢについて品質の劣化の閾値１を下回ったことが検出されると（ステップＳ７０２のＹｅｓ）、ＵＥ端末は、そのｅＮｏｄｅＢについてＣＳＩ−ＲＳの測定頻度を上げて、測定を行なう（ステップＳ７０３）。
【０１４２】
その後、閾値１を下回ったｅＮｏｄｅＢの品質が回復して、閾値１を上回ったことが確認されたときには（ステップＳ７０４のＹｅｓ）、ＵＥ端末は、そのｅＮｏｄｅＢについてＣＳＩ−ＲＳの測定頻度を下げて、測定を行なう（ステップＳ７０７）。
【０１４３】
他方、閾値１を下回ったｅＮｏｄｅＢの品質がその後も回復せず、さらに品質の劣化の閾値２を下回ってしまったことが検出されると（ステップＳ７０５のＹｅｓ）、このような測定結果を受け取ったＳｅｒｖｉｎｇ  ｅＮｏｄｅＢは、ダイナミック・ポイント・セレクションを実施して、閾値２を下回ったｅＮｏｄｅＢをＣｏＭＰセットから外す（ステップＳ７０６）。
【０１４４】
図８には、ＵＥ端末で各ｅＮｏｄｅＢの品質を測定した結果を模式的に示している。図示の例では、ＵＥ端末は、ｅＮｏｄｅＢ＃１〜＃３についてＣＳＩ−ＲＳの測定を行なっている。ｅＮｏｄｅＢ＃１の品質は閾値１を上回っているので、測定頻度を上げない。また、ｅＮｏｄｅ＃２の品質は閾値２を下回っているので、ダイナミック・ポイント・セレクションによりＣｏＭＰセットから外されることになる。また、ｅＮｏｄｅ＃３の品質は閾値１を下回っているが閾値２を上回っているので、測定頻度を上げて測定が行なわれる。
【０１４５】
また、手段３−２は、ＣｏＭＰセットに新規に加えるべきｅＮｏｄｅＢを探索するというシナリオに利用することもできる。この場合、特定のｅＮｏｄｅＢの品質が劣化している訳ではないが、現在のＣｏＭＰセットに含まれるｅＮｏｄｅＢの受信電力では、全体として品質を保てないときに、より高い受信電力が見込めるｅＮｏｄｅＢを探索する必要が生じることから、測定頻度を上げる。
【０１４６】
図９には、リファレンス信号の測定頻度を制御して、ＣｏＭＰセットに新規に加えるべきｅＮｏｄｅＢを探索するための処理手順をフローチャートの形式で示している。
【０１４７】
ＵＥ端末は、ＣｏＭＰセットに含まれる各ｅＮｏｄｅＢに対応するＣＳＩ−ＲＳを使用してポイント・セレクション用の測定を行ないながら、新規のｅＮｏｄｅＢに対応するＣＳＩ−ＲＳで測定を行なう（ステップＳ９０１）。
【０１４８】
ここで、ＣｏＭＰを行なっているＵＥ端末における受信品質が所定の閾値以下となったときには（ステップＳ９０２のＹｅｓ）、ＵＥ端末は、新規のｅＮｏｄｅＢについての測定頻度を増加させる（ステップＳ９０３）。
【０１４９】
他方、ＣｏＭＰを行なっているＵＥ端末における受信品質が所定の閾値を超えているときには（ステップＳ９０２のＮｏ）、ＵＥ端末は、新規のｅＮｏｄｅＢについての測定頻度を低下させる（ステップＳ９０４）。
【０１５０】
また、上記第３の課題を解決する手段３−３として、ＵＥ端末が行ったエリア内に存在する基地局の台数に応じて、ｅＮｏｄｅＢ側でポイント・セレクション用のリファレンス信号の測定頻度を制御し、又は、ＵＥ端末側でリファレンス信号の測定頻度を制御することが挙げられる。
【０１５１】
例えば、ＵＥ端末がＣｏＭＰを行なうための基地局が多く存在するエリアに行ったときには、ｅＮｏｄｅＢからのＣＳＩ−ＲＳの送信周期を短くするとともに、ＵＥ端末側では測定頻度を上げる。逆に、ＣｏＭＰを行なうための基地局が少ないエリアに行ったときには、ｅＮｏｄｅＢからのＣＳＩ−ＲＳの送信周期を長くするとともに、ＵＥ端末側では測定頻度を下げる。
【０１５２】
図１０には、セル内に存在するＲＲＨの分布例を示している。同図中、右に示すセルのように、ＲＲＨすなわちＣｏＭＰを行なうための基地局が多く存在する場合、ＵＥ端末は小さい移動でもＣｏＭＰを行なうのに必要なＲＲＨが変化する。このため、ポイント・セレクションの更新頻度を向上させる必要があり、ＵＥ端末側では測定頻度を上げるようにする。逆に、同図中、左に示すセルのようにＲＲＨすなわちＣｏＭＰを行なうための基地局が少ない場合には、ＵＥ端末の移動に伴ってＣｏＭＰを行なうのに必要な基地局はあまり変化しないので、ポイント・セレクションの更新頻度を上げる必要はない。
【０１５３】
図１１には、ＲＲＨの密度に応じてｅＮｏｄｅＢからのＣＳＩ−ＲＳの送信頻度を制御するための処理手順をフローチャートの形式で示している。
【０１５４】
Ｍａｃｒｏ  ｅＮｏｄｅＢは、自セル内のＲＲＨの配置情報を取得する（ステップＳ１１０１）。
【０１５５】
そして、Ｍａｃｒｏ  ｅＮｏｄｅＢは、自セル内のＲＲＨの密度を考慮して、各ＲＲＨに対してＣＳＩ−ＲＳの送信頻度を指示する（ステップＳ１１０２）。
【０１５６】
これに対し、ＲＲＨは、Ｍａｃｒｏ  ｅＮｏｄｅＢから指示された送信頻度で、ＣＳＩ−ＲＳの送信を行なう（ステップＳ１１０３）。
【０１５７】
図１２には、ＲＲＨの密度に応じてＵＥ端末がｅＮｏｄｅＢからのＣＳＩ−ＲＳの受信頻度を制御するための処理手順をフローチャートの形式で示している。
【０１５８】
Ｍａｃｒｏ  ｅＮｏｄｅＢは、自セル内のＲＲＨの配置情報を取得すると（ステップＳ１２０１）、自セル内の各ＲＲＨに、ＲＲＨの密度を通知する（ステップＳ１２０２）。
【０１５９】
これに対し、各ＲＲＨは、通知されたＲＲＨの密度を、さらにＵＥ端末に通知する（ステップＳ１２０３）。
【０１６０】
そして、ＵＥ端末は、通知されたＲＲＨの密度に基づいて、自端末がＣＳＩ−ＲＳを受信する頻度を決定して、ポイント・セレクション用の測定を行なう（ステップＳ１２０４）。
【０１６１】
ＣＳＩ−ＲＳを用いてポイント・セレクションを実施する場合の第４の課題：
ＬＴＥでは、キャリア・アグリゲーション技術が導入されている。キャリア・アグリゲーションは、コンポーネント・キャリアと呼ばれる複数のキャリアを同時に用いて通信を行なうことで、広帯域化を実現することができる。例えば、２０ＭＨｚの帯域幅のコンポーネント・キャリアを５つ束ねて、２０ＭＨｚ×５＝１００ＭＨｚのバンドで通信を行なう。
【０１６２】
キャリア・アグリゲーションと上記のＣｏＭＰ技術を組み合わせてシステムを運用する場合、コンポーネント・キャリア毎にチャネルが相違することから、各コンポーネント・キャリアにおいてＣｏＭＰを適用している状況は全く相違していることが想定される。すなわち、コンポーネント・キャリア毎に、ＣｏＭＰを適用しているかどうかは異なり、適用しているとしてもＣｏＭＰセットに含まれるｅＮｏｄｅＢの構成も相違する。それにも拘らず、各コンポーネント・キャリアにおいてポイント・セレクション用の測定頻度を一律にすると、無駄が生じるという第４の課題がある。
【０１６３】
上記第４の課題を解決する手段４−１として、各コンポーネント・キャリアに対するＣｏＭＰ推奨の程度に応じてＣＳＩ−ＲＳを送信する頻度を制御することが挙げられる。すなわち、手段４−１では、ＣｏＭＰを推奨するコンポーネント・キャリアでは、ＣＳＩ−ＲＳを送信する頻度を大きくする。
【０１６４】
複数のコンポーネント・キャリアのうち、主要の１キャリアを「プライマリー・キャリア」とし、その他の１以上のキャリアを「セコンダリー・キャリア」とする。ここで、プライマリー・キャリアの保護の観点から、プライマリー・キャリアにはＣｏＭＰを推奨しない、言い換えれば、セコンダリー・キャリアをＣｏＭＰに特化したコンポーネント・キャリアとして運用する（図１３を参照のこと）。プライマリーのコンポーネント・キャリアよりも、セコンダリーのコンポーネント・キャリアのＣＳＩ−ＲＳの送信頻度を多くする。
【０１６５】
また、データ・オフロードの観点で、コンポーネント・キャリア１でのＣｏＭＰが混んでいて、コンポーネント・キャリア２でのＣｏＭＰを増やしたい場合は、コンポーネント・キャリア２で送信されるＣＳＩ−ＲＳの頻度を増やす。
【０１６６】
また、上記第４の課題を解決する手段４−２として、コンポーネント・キャリアにおけるチャネルの変化に応じてＣＳＩ−ＲＳを送信する頻度を制御することが挙げられる。周波数の高いコンポーネント・キャリアは、周波数の低いコンポーネント・キャリアよりもチャネルの変化が大きい。したがって、周波数の高いコンポーネント・キャリアでは、周波数の低いコンポーネント・キャリアよりも、ＣＳＩ−ＲＳを送信する頻度を高く設定する（図１４を参照のこと）。
【０１６７】
また、上記第４の課題を解決する手段４−３として、周波数軸上で隣接するコンポーネント・キャリア間でリファレンス信号の測定結果を共有することで、システム全体としてＣＳＩ−ＲＳの送信頻度を低減することが挙げられる。
【０１６８】
キャリア・アグリゲーションにおいて、周波数軸上で連続して配置されるコンポーネント・キャリア同士や、隣接して配置されるコンポーネント・キャリア同士は、それぞれのチャネル情報が非常に似ている場合がある。少なくとも、ｅＮｏｄｅＢ全体の品質は、どれか１つのコンポーネント・キャリアで測定を行なえば十分である場合が多い。
【０１６９】
例えば、コンポーネント・キャリア１とコンポーネント・キャリア２が周波数軸上で隣接する場合、図１５に示すように、一方のコンポーネント・キャリア１でのみＣＳＩ−ＲＳを送信し、他方のコンポーネント・キャリア２ではＣＳＩ−ＲＳを送信せず、コンポーネント・キャリア２での測定結果を利用する。
【０１７０】
あるいは、コンポーネント・キャリア１とコンポーネント・キャリア２が周波数軸上で隣接する場合、図１６に示すように、時間軸及び周波数軸上で重ならないように、コンポーネント・キャリア１とコンポーネント・キャリア２で分担してＣＳＩ−ＲＳを送信するようにしてもよい。
【０１７１】
ＣＳＩ−ＲＳを用いてポイント・セレクションを実施する場合の第５の課題：
Ｍａｃｒｏ  ｅＮｏｄｅＢに属するＲＲＨの数が多い場合、各ＲＲＨからＣＳＩ−ＲＳを送信すると、ＣＳＩ−ＲＳによってオーバーヘッドが大きくなり、ダウンリンクのスループットが低下する、という第５の課題がある。
【０１７２】
上記第５の課題を解決する手段５として、ＣｏＭＰセットへの使用状況に応じてＲＲＨのＣＳＩ−ＲＳの送信周期を制御することが挙げられる。
【０１７３】
同一のＣｏＭＰセットに属するＲＲＨやｅＮｏｄｅＢであっても、ＵＥ端末により測定されてＣｏＭＰセットに多く含まれているＲＲＨと、ＣｏＭＰセットにあまり含まれていないＲＲＨに分けることができる。ＣｏＭＰにより多く使われているＲＲＨのＣＳＩ−ＲＳは短い周期で送信すべきであり、逆にあまりＣｏＭＰに使われていないｅＮｏｄｅＢのＣＳＩ−ＲＳは長い周期で送信すべきである。
【０１７４】
例えば、Ｓｅｒｖｉｎｇ  ｅＮｏｄｅＢが、各ＲＲＨと無線リンク制御接続状態（すなわち、ＲＲＣ−Ｃｏｎｎｅｃｔｅｄ）にあるＵＥ端末の数を集計して、無線リンク制御接続状態にあるＵＥ端末の台数に応じてＲＲＨ毎にＣＳＩ−ＲＳの送信頻度を設定するようにすればよい。
【０１７５】
図１７には、ＣｏＭＰセットへの使用状況に応じてＲＲＨのＣＳＩ−ＲＳの送信周期を制御する処理手順をフローチャートの形式で示している。
【０１７６】
Ｍａｃｒｏ  ｅＮｏｄｅＢは、と無線リンク制御接続状態にある（すなわち、ＲＲＣ−Ｃｏｎｎｅｃｔｅｄな）ＵＥ端末の数を取得する（ステップＳ１７０１）。
【０１７７】
そして、Ｍａｃｒｏ  ｅＮｏｄｅＢは、無線リンク制御接続状態にあるＵＥ端末の台数に応じてＲＲＨ毎にＣＳＩ−ＲＳの送信頻度を設定すると（ステップＳ１７０２）、各ＲＲＨに対し、設定したＣＳＩ−ＲＳの送信頻度を通知する（ステップＳ１７０３）。
【０１７８】
装置構成
図１８には、本実施形態に係る無線通信システム（図１）において、Ｍａｃｒｏ  ｅＮｏｄｅＢとして動作する無線通信装置１８００の構成例を模式的に示している。但し、同図では、Ｍａｃｒｏ  Ｃｅｌｌ内の無線リソース管理や、各種リファレンス信号の送信、ＵＥ端末へのＲＲＣ  Ｓｉｇｎａｌｉｎｇ、ＵＥ端末からのアップリンクの無線フレームに含まれるリファレンス信号ＳＲＳの測定など、Ｍａｃｒｏ  ｅＮｏｄｅＢとしての基本動作を行なう機能モジュールについては適宜図示を省略している。
【０１７９】
無線通信装置１８００は、アンテナで送受信する無線信号のアナログ処理を行なうＲＦ通信処理部１８０１と、ディジタル送信信号の変調並びにディジタル受信信号の復調処理を行なうディジタル通信処理部１８０２を備えている。ディジタル通信処理部１８０２は、自装置１８００の通信レイヤーの上位層プロトコルとの間で送受信データをやり取りする。また、ディジタル通信処理部１８０２は、Ｘ２インターフェース、Ｓ−ＧＷ（Ｓｅｒｖｉｎｇ  Ｇａｔｅｗａｙ）、並びにＭＭＥ（Ｍｏｂｉｌｉｔｙ  Ｍａｎａｇｅｍｅｎｔ  Ｅｎｔｉｔｙ）経由で他のｅＮｏｄｅＢと通信する。また、ディジタル通信処理部１８０２は、Ｘ２インターフェース経由で、自装置１８００に従属する各ＲＲＨのベースバンド信号処理及び制御を行なう。
【０１８０】
ＲＲＨ情報取得部１８０３は、自装置１８００に従属しているＲＲＨに関する情報を、光ファイバーなどのＸ２インターフェースを用いて各ＲＲＨから取得する。ＲＲＨ情報取得部１８０３は、上述した手段２−１、手段３−３、手段６を実現するために必要な情報を、各ＲＲＨから取得する。取得する情報として、ＲＲＨと無線リンク制御接続状態（ＲＲＣ＿Ｃｏｎｎｅｃｔｅｄ）にあるＵＥ端末の台数や、自セル内のＲＲＨの密度などを挙げることができる。
【０１８１】
送信頻度制御部１８０４は、自装置１８００に従属している各ＲＲＨのＣＳＩ−ＲＳの送信頻度を制御する。送信頻度制御部１８０４は、上述した手段２−１、手段２−２、手段３−３、手段４−１、手段４−２、手段４−３、手段５のいずれかとして機能する。
【０１８２】
キャリア判定部１８０５は、キャリア・アグリゲーション実施時において、コンポーネント・キャリア毎にＣｏＭＰを行なう重要性を判定する。キャリア判定部１８０５は、上述した手段５−１を実現する際に、ＣｏＭＰを用いる（若しくは、ＣｏＭＰの使用を推奨する）コンポーネント・キャリアを判断するための判定を行う。
【０１８３】
通知部１８０６は、自装置１８００に従属している各Ｐｉｃｏ  ｅＮｏｄｅＢ（ＲＲＨを含む）へ、送信頻度制御部１８０４が決定したＣＳＩ−ＲＳの送信頻度の通知を行なう。また、通知部１８０６は、必要に応じて、Ｐｉｃｏ  ｅＮｏｄｅＢに属するＵＥ端末に対して、ＣＳＩ−ＲＳの測定頻度などの通知を行なう。通知部１８０６は、上述した手段２−１、手段３−３、手段４−１、手段４−２、手段４−３、手段５を実現する際に、該当するＰｉｃｏ  ｅＮｏｄｅＢへの通知を行なう。また、通知部１８０６は、上述した手段１、手段３−３を実現する際に、ＵＥ端末への必要な通知を行なう。
【０１８４】
通知部１８０６が通知を行なう結果として、無線通信装置１８００は、所望する頻度で、ＵＥ端末からＣＳＩ−ＲＳの測定結果、すなわちポイント・セレクション用のフィードバックを取得することができる。ポイント・セレクション部１８０７は、このフィードバック情報に基づいて、ＵＥ端末にとって必要な品質を満たす、必要最小限のｅＮｏｄｅＢでＣｏＭＰセットを構成する。また、ポイント・セレクション部１８０７は、ＵＥ端末からのフィードバック情報と、ＵＥ端末からのアップリンクに含まれるＳＲＳを測定した結果の双方に基づいてポイント・セレクションを行なうことで、上述した手段２−２を実現する。
【０１８５】
また、図１９には、本実施形態に係る無線通信システム（図１）において、Ｐｉｃｏ  ｅＮｏｄｅＢ若しくはＲＲＨとして動作する無線通信装置１９００の構成例を模式的に示している。但し、同図では、Ｐｉｃｏ  Ｃｅｌｌ内の無線リソース管理や、ＵＥ端末へのＲＲＣ  Ｓｉｇｎａｌｉｎｇなど、Ｐｉｃｏ  ｅＮｏｄｅＢとしての基本動作を行なう機能モジュールについては適宜図示を省略している。
【０１８６】
無線通信装置１９００は、アンテナで送受信する無線信号のアナログ処理を行なうＲＦ通信処理部１９０１と、ディジタル送信信号の変調並びにディジタル受信信号の復調処理を行なうディジタル通信処理部１９０２を備えている。ディジタル通信処理部１９０２は、自装置１９００の通信レイヤーの上位層プロトコルとの間で送受信データをやり取りする。また、ディジタル通信処理部１９０２は、Ｘ２インターフェース、Ｓ−ＧＷ（Ｓｅｒｖｉｎｇ  Ｇａｔｅｗａｙ）、並びにＭＭＥ（Ｍｏｂｉｌｉｔｙ  Ｍａｎａｇｅｍｅｎｔ  Ｅｎｔｉｔｙ）経由で他のｅＮｏｄｅＢと通信する。但し、無線通信装置１９００がＲＲＨの場合には、ベースバンド信号処理及び制御は、Ｘ２インターフェース経由でＭａｃｒｏ  ｅＮｏｄｅＢの制御下にある。
【０１８７】
送信頻度制御部１９０３は、自装置１９００から送信するＣＳＩ−ＲＳの頻度を制御する。送信頻度制御部１９０３は、自装置１９００が従属するＭａｃｒｏ  ｅＮｏｄｅＢ（Ｓｅｒｖｉｎｇ  Ｍａｃｒｏ  ｅＮｏｄｅＢ）からの通知に従ってＣＳＩ−ＲＳの送信頻度を決定して、上述した手段２−１、手段２−２、手段３−３、手段４−１、手段４−２、手段４−３、手段４の実現に寄与する。
【０１８８】
測定頻度通知部１９０４は、送信頻度制御部１９０３で決定したＣＳＩ−ＲＳの送信頻度に対応して、自装置１９００に属しているＵＥ端末に対し、ＣＳＩ−ＲＳの測定頻度を指示して、上述した手段１、手段３−３の実現に寄与する。
【０１８９】
設定情報取得部１９０５は、自装置１９００から送信するＣＳＩ−ＲＳの頻度など、Ｓｅｒｖｉｎｇ  ｅＮｏｄｅＢが自装置１９００に対して設定した各種の情報を、Ｘ２インターフェース経由で取得する。
【０１９０】
また、図２０には、本実施形態に係る無線通信システム（図１）において、ＵＥ端末として動作する無線通信装置２０００の構成例を模式的に示している。但し、同図では、ＵＥ端末としての基本動作を行なう機能モジュールについては適宜図示を省略している。
【０１９１】
無線通信装置２０００は、アンテナで送受信する無線信号のアナログ処理を行なうＲＦ通信処理部２００１と、ディジタル送信信号の変調並びにディジタル受信信号の復調処理を行なうディジタル通信処理部２００２を備えている。ディジタル通信処理部２００２は、自装置２０００の通信レイヤーの上位層プロトコルとの間で送受信データをやり取りする。
【０１９２】
測定頻度制御部２００３は、自装置２０００においてＣＳＩ−ＲＳなどのポイント・セレクション用のリファレンス信号を測定する頻度を制御する。測定頻度制御部２００３は、例えば、自装置２０００の移動速度に応じてＣＳＩ−ＲＳの測定頻度を制御することによって、上述した手段３−１を実現する。また、測定頻度制御部２００３は、ＣｏＭＰセットの中の各ｅＮｏｄｅからのＣＳＩ−ＲＳの測定頻度を、通信品質に基づいて制御することで、上述した手段３−２を実現する。また、測定頻度制御部２００３は、シナリオ３ではＣＲＳを、シナリオ４ではＣＳＩ−ＲＳを、ポイント・セレクション用に測定するよう制御することによって、上述した手段１を実現する。
【０１９３】
測定頻度情報取得部２００４は、自装置２０００が属するｅＮｏｄｅＢ（Ｓｅｒｖｉｎｇ  Ｐｉｃｏ  ｅＮｏｄｅＢ）から、ＣＳＩ−ＲＳの測定頻度の設定に関する情報を取得する。また、測定頻度情報取得部２００４は、セルで適用されているシナリオを識別するための情報を、測定頻度に関する情報として取得する。測定頻度情報取得部２００４で取得した測定頻度に従ってＣＳＩ−ＲＳの測定を行なうことで、上述した手段１、手段３−３の実現に寄与する。
【０１９４】
リファレンス信号測定部２００５は、測定頻度制御部２００３が決定した測定頻度、又は、測定頻度情報取得部２００４が取得した測定頻度に基づいて、ＣＳＩ−ＲＳなどのポイント・セレクション用のリファレンス信号の測定を行なう。また、リファレンス信号測定部２００５は、シナリオ３ではＣＲＳを用いてポイント・セレクション用の測定を行ない、シナリオ４ではＣＳＩ−ＲＳを用いてポイント・セレクション用の測定を行なうという、リファレンス信号の切り替えによって、上述した手段１を実現する。リファレンス信号測定部２００５による測定結果は、ディジタル通信処理部２００２及びＲＦ通信処理部２００１を介して、Ｓｅｒｖｉｎｇ  Ｐｉｃｏ  ｅＮｏｄｅＢに送信される。
【０１９５】
上述したように、本実施形態によれば、ポイント・セレクションに対するリファレンス信号のオーバーヘッドを抑制しつつ、ポイント・セレクションの更新頻度を向上させることができる。その結果として、セルすなわち通信システムのスループットの向上という効果を得ることができる。
【０１９６】
なお、本明細書の開示の技術は、以下のような構成をとることも可能である。
（１）自装置のための多地点協調送受信を行なう協調グループの決定のために測定するリファレンス信号の種類を設定する測定制御部と、各基地局から送信される、前記測定制御部で設定された種類のリファレンス信号を、前記協調グループ決定用に測定するリファレンス信号測定部と、を具備する無線通信装置。
（２）前記測定制御部は、現在のセルで適用されているシナリオに応じて、協調グループの決定のために測定するリファレンス信号の種類を設定する、上記（１）に記載の無線通信装置。
（３）各基地局は、同一のセル識別子を持つ基地局間で互いに異なる場所に割り当てることが可能で送信周期を調整可能な第１のリファレンス信号と、同一のセル識別子を持つ基地局が同一の場所を使用する第２のリファレンス信号を送信し、
前記測定制御部は、同じ大基地局に従属する各基地局に同一のセル識別子が割り当てられる第１のシナリオでは、第１のリファレンス信号を協調グループ決定のための測定用に設定し、同じ大基地局に従属しても基地局毎に独自のセル識別子が割り当てられる第２のシナリオでは、第２のリファレンス信号を協調グループ決定のための測定用に設定する、上記（２）に記載の無線通信装置。
（４）前記測定制御部は、基地局からの通知に基づいて、協調グループの決定のために測定するリファレンス信号の種類を設定する、上記（１）に記載の無線通信装置。
（５）各基地局は、同一のセル識別子を持つ基地局間で互いに異なる場所に割り当てることが可能で送信周期を調整可能な第１のリファレンス信号と、同一のセル識別子を持つ基地局が同一の場所を使用する第２のリファレンス信号を送信し、前記測定制御部は、基地局から通知された特定のセル識別子を持つ基地局に対しては第１のリファレンス信号を協調グループ決定のための測定用に設定し、それ以外のセル識別子を持つ基地局に対しては第２のリファレンス信号を協調グループ決定のための測定用に設定する、上記（４）に記載の無線通信装置。
（６）同一のセル識別子を持つ基地局間で互いに異なる場所に割り当てることが可能で送信周期を調整可能な第１のリファレンス信号と、同一のセル識別子を持つ基地局同士で同一の場所を使用する第２のリファレンス信号を送信するリファレンス信号送信部と、現在のセルで適用されているシナリオに応じて、自装置に属する端末に対して、第１のリファレンス信号を用いて協調グループ決定用の測定を行なうべきセル識別子を通知する通知部と、を具備する無線通信装置。
（７）前記通知部は、同じ大基地局に従属する各基地局に同一のセル識別子が割り当てられるシナリオでは、自装置に属する端末に対して、第１のリファレンス信号を用いて協調グループ決定用の測定を行なうべきセル識別子を通知する、上記（６）に記載の無線通信装置。
（８）自装置に従属する基地局の情報を取得する従属基地局情報取得部と、前記従属基地局情報取得部が取得した基地局の情報に基づいて、多地点協調送受信を行なう協調グループの決定用のリファレンス信号を送信する頻度を制御する送信頻度制御部と、前記送信頻度制御部による制御情報を各基地局に通知する通知部と、を具備する無線通信装置。
（９）前記従属基地局情報取得部は、自装置に従属する基地局から、多地点協調送受信を必要とする端末の台数に関する情報を取得し、前記送信頻度制御部は、多地点協調送受信を必要とする端末の台数に応じてリファレンス信号を送信する頻度を制御する、上記（８）に記載の無線通信装置。
）１０）前記送信頻度制御部は、多地点協調送受信を必要とする端末の台数が少ないときには、リファレンス信号を送信する周期を長くする、上記（９）に記載の無線通信装置。
（１１）第１のリファレンス信号を送信するリファレンス信号送信部と、端末から第１のリファレンス信号の測定結果のフィードバックを取得するフィードバック情報取得部と、前記端末から送信される第２のリファレンス信号を測定するリファレンス信号を測定する測定部と、前記フィードバック情報取得部が取得したフィードバック情報と、前記測定部の測定結果に基づいて、端末局のための多地点協調送受信を行なう協調グループを決定するポイント・セレクション部と、を具備する無線通信装置。
（１２）前記ポイント・セレクション部は、ＴＤＤが適用される場合に、前記フィードバック情報取得部が取得したフィードバック情報とともに、前記測定部の測定結果に基づいて、端末局のための多地点協調送受信を行なう協調グループを決定する、上記（１１）に記載の無線通信装置。
（１３）各基地局から送信されるリファレンス信号を、自装置のための多地点協調送受信を行なう協調グループ決定用に測定するリファレンス信号測定部と、自装置の移動速度に基づいて、前記リファレンス信号測定部において測定を行なう頻度を制御する測定頻度制御部と、を具備する無線通信装置。
（１４）前記測定頻度制御部は、自装置の移動速度が大きいときだけ、前記リファレンス信号測定部における測定を行なわせる、上記（１３）に記載の無線通信装置。
（１５）各基地局から送信されるリファレンス信号を、自装置のための多地点協調送受信を行なう協調グループ決定用に測定するリファレンス信号測定部と、前記リファレンス信号測定部における測定結果に基づいて、前記リファレンス信号測定部における基地局毎の測定頻度を制御する測定頻度制御部と、を具備する無線通信装置。
（１６）前記測定頻度制御部は、前記リファレンス信号測定部における測定結果に基づいて通信品質の劣化が検出された基地局についての測定頻度を高くする、上記（１５）に記載の無線通信装置。
（１７）前記測定頻度制御部は、協調グループの中で通信品質が劣化した基地局を検出したときに、協調グループに含まれていない新規の基地局についての測定頻度を高くする、上記（１５）に記載の無線通信装置。
（１８）前記従属基地局情報取得部は、自装置に従属する基地局の配置情報を取得し、前記送信頻度制御部は、自装置に従属する基地局の密度に応じてリファレンス信号を送信する頻度を制御する、上記（８）に記載の無線通信装置。
（１９）前記送信頻度制御部は、自装置に従属する基地局の密度が大きいエリアでは、リファレンス信号を送信する頻度を高くする、上記（１８）に記載の無線通信装置。
（２０）自装置のための多地点協調送受信を行なう協調グループに組み込むことが可能な基地局の配置情報を取得する基地局情報取得部と、取得した基地局の配置情報に基づいて、基地局からのリファレンス信号を前記協調グループ決定用に測定する頻度を制御する測定頻度制御部と、前記測定頻度制御部で制御する頻度に従って、基地局からのリファレンス信号を測定するリファレンス信号測定部と、を具備する無線通信装置。
（２１）前記測定頻度制御部は、協調グループに組み込むことが可能な基地局の密度が大きいエリアでは、リファレンス信号を測定する頻度を高くする、上記（２０）に記載の無線通信装置。
（２２）キャリア・アグリゲーションを行なう際に、多地点協調送受信を行なう重要性をコンポーネント・キャリア毎に判定するキャリア判定部と、前記キャリア判定部における判定結果に基づいて、各コンポーネント・キャリアで多地点協調送受信を行なう協調グループの決定用のリファレンス信号を送信する頻度を制御する送信頻度制御部と、前記送信頻度制御部による制御情報を各基地局に通知する通知部と、を具備する無線通信装置。
（２３）前記送信頻度制御部は、多地点協調送受信を行なう重要性が高いコンポーネント・キャリアでリファレンス信号を送信する頻度を高くする、上記（２２）に記載の無線通信装置。
（２４）キャリア・アグリゲーションを行なう際に、周波数に応じて各コンポーネント・キャリアで多地点協調送受信を行なう協調グループの決定用のリファレンス信号を送信する頻度を制御する送信頻度制御部と、前記送信頻度制御部による制御情報を各基地局に通知する通知部と、を具備する無線通信装置。
（２５）前記送信頻度制御部は、周波数が高いコンポーネント・キャリアでリファレンス信号を送信する頻度を高くする、上記（２４）に記載の無線通信装置。
（２６）キャリア・アグリゲーションを行なう際に、周波数的な配置に応じて各コンポーネント・キャリアで多地点協調送受信を行なう協調グループの決定用のリファレンス信号を送信する頻度を制御する送信頻度制御部と、前記送信頻度制御部による制御情報を各基地局に通知する通知部と、を具備する無線通信装置。
（２７）前記送信頻度制御部は、周波数的に連続して配置されたコンポーネント・キャリアのうち一方でのみリファレンス信号を送信するようにする、上記（２６）に記載の無線通信装置。
（２８）前記送信頻度制御部は、周波数的に連続して配置された各コンポーネント・キャリアで時間的及び周波数的に重ならないようにリファレンス信号を送信するようにする、上記（２６）に記載の無線通信装置。
（２９）前記従属基地局情報取得部は、自装置に従属する各基地局と無線リンク制御接続状態にある端末の台数に関する情報を取得し、前記送信頻度制御部は、無線リンク制御接続状態にある端末の台数に応じて自装置に従属する各基地局がリファレンス信号を送信する頻度を制御する、上記（８）に記載の無線通信装置。
（３０）前記送信頻度制御部は、無線リンク制御接続状態にある端末の台数が多い基地局からリファレンス信号を送信する頻度を高くする、上記（２９）に記載の無線通信装置。
（３１）自装置のための多地点協調送受信を行なう協調グループの決定のために測定するリファレンス信号の種類を設定する測定制御ステップと、各基地局から送信される、前記測定制御ステップで設定された種類のリファレンス信号を、前記協調グループ決定用に測定するリファレンス信号測定ステップと、を有する無線通信方法。
（３２）同一のセル識別子を持つ基地局間で互いに異なる場所に割り当てることが可能で送信周期を調整可能な第１のリファレンス信号と、同一のセル識別子を持つ基地局同士で同一の場所を使用する第２のリファレンス信号を送信するリファレンス信号送信ステップと、現在のセルで適用されているシナリオに応じて、自装置に属する端末に対して、第１のリファレンス信号を用いて協調グループ決定用の測定を行なうべきセル識別子を通知する通知ステップと、を有する無線通信方法。
（３３）自装置に従属する基地局の情報を取得する従属基地局情報取得ステップと、前記従属基地局情報取得ステップで取得した基地局の情報に基づいて、多地点協調送受信を行なう協調グループの決定用のリファレンス信号を送信する頻度を制御する送信頻度制御ステップと、前記送信頻度制御ステップによる制御情報を各基地局に通知する通知ステップと、を有する無線通信方法。
（３４）端末から第１のリファレンス信号の測定結果のフィードバックを取得するフィードバック情報取得ステップと、前記端末から送信される第２のリファレンス信号を測定するリファレンス信号を測定する測定ステップと、前記フィードバック情報取得ステップで取得したフィードバック情報と、前記測定ステップの測定結果に基づいて、端末局のための多地点協調送受信を行なう協調グループを決定するポイント・セレクション・ステップと、を有する無線通信方法。
（３５）各基地局から送信されるリファレンス信号を測定する頻度を自装置の移動速度に基づいて制御する測定頻度制御ステップと、前記測定頻度制御ステップで制御される頻度に従って、リファレンス信号を、自装置のための多地点協調送受信を行なう協調グループ決定用に測定するリファレンス信号測定ステップと、を有する無線通信方法。
（３６）各基地局から送信されるリファレンス信号を、自装置のための多地点協調送受信を行なう協調グループ決定用に測定するリファレンス信号測定ステップと、前記リファレンス信号測定ステップにおける測定結果に基づいて、前記リファレンス信号測定部における基地局毎の測定頻度を制御する測定頻度制御ステップと、を有する無線通信方法。
（３７）自装置のための多地点協調送受信を行なう協調グループに組み込むことが可能な基地局の配置情報を取得する基地局情報取得ステップと、取得した基地局の配置情報に基づいて、基地局からのリファレンス信号を前記協調グループ決定用に測定する頻度を制御する測定頻度制御ステップと、前記測定頻度制御ステップで制御する頻度に従って、基地局からのリファレンス信号を測定するリファレンス信号測定ステップと、を有する無線通信方法。
（３８）キャリア・アグリゲーションを行なう際に、多地点協調送受信を行なう重要性をコンポーネント・キャリア毎に判定するキャリア判定ステップと、前記キャリア判定ステップにおける判定結果に基づいて、各コンポーネント・キャリアで多地点協調送受信を行なう協調グループの決定用のリファレンス信号を送信する頻度を制御する送信頻度制御ステップと、前記送信頻度制御ステップによる制御情報を各基地局に通知する通知ステップと、を有する無線通信方法。
（３９）キャリア・アグリゲーションを行なう際に、周波数に応じて各コンポーネント・キャリアで多地点協調送受信を行なう協調グループの決定用のリファレンス信号を送信する頻度を制御する送信頻度制御ステップと、前記送信頻度制御ステップによる制御情報を各基地局に通知する通知ステップと、を有する無線通信方法。
（４０）キャリア・アグリゲーションを行なう際に、周波数的な配置に応じて各コンポーネント・キャリアで多地点協調送受信を行なう協調グループの決定用のリファレンス信号を送信する頻度を制御する送信頻度制御ステップと、前記送信頻度制御ステップによる制御情報を各基地局に通知する通知ステップと、を有する無線通信方法。
（４１）それぞれ複数の種類のリファレンス信号を送信する複数の基地局と、自局のための多地点協調送受信を行なう協調グループの決定のために測定するリファレンス信号の種類を設定して、リファレンス信号の測定を行なう端末局と、を具備する無線通信システム。
（４２）同一のセル識別子を持つ基地局間で互いに異なる場所に割り当てることが可能で送信周期を調整可能な第１のリファレンス信号と、同一のセル識別子を持つ基地局同士で同一の場所を使用する第２のリファレンス信号をそれぞれ送信する複数の基地局と、リファレンス信号を受信して自局のための多地点協調送受信を行なう協調グループの決定用の測定を行なう端末局を具備し、前記複数の基地局うち少なくともいずれか１つは、自局に属する端末局に対して、第１のリファレンス信号を用いて協調グループ決定用の測定を行なうべきセル識別子を通知する無線通信システム。
（４３）リファレンス信号を送信する複数の基地局と、基地局からのリファレンス信号を受信して自局のための多地点協調送受信を行なう協調グループの決定用の測定を行なう端末局を具備し、前記複数の基地局うち少なくともいずれか１つは、自局に従属する基地局から取得した情報に基づいて、各基地局がリファレンス信号を送信する頻度を制御する無線通信システム。
（４４）第１のリファレンス信号を送信する複数の基地局と、第１のリファレンス信号を受信して自局のための多地点協調送受信を行なう協調グループの決定用の測定を行なって基地局にフィードバックするとともに第２のリファレンス信号を送信する端末局を具備し、前記複数の基地局うち少なくともいずれか１つは、前記端末局からのフィードバック情報と、自局での第２のリファレンス信号の測定結果に基づいて、前記端末局のための多地点協調送受信を行なう協調グループを決定する無線通信システム。
（４５）リファレンス信号を送信する複数の基地局と、自局の移動速度に応じた頻度でリファレンス信号を受信して、自局のための多地点協調送受信を行なう協調グループの決定用の測定を行なう端末局と、を具備する無線通信システム。
（４６）リファレンス信号を送信する複数の基地局と、基地局からのリファレンス信号を受信して、自局のための多地点協調送受信を行なう協調グループの決定用の測定を行なう端末局を具備し、前記端末局は、各基地局からのリファレンス信号の測定結果に基づいて、基地局毎の測定頻度を制御する無線通信システム。
（４７）リファレンス信号を送信する複数の基地局と、基地局からのリファレンス信号を受信して、自局のための多地点協調送受信を行なう協調グループの決定用の測定を行なう端末局を具備し、前記端末局は、協調グループに組み込むことが可能な基地局の配置情報に基づいて、基地局からのリファレンス信号を測定する頻度を制御する無線通信システム。
（４８）リファレンス信号を送信する複数の基地局と、基地局からのリファレンス信号を受信して、自局のための多地点協調送受信を行なう協調グループの決定用の測定を行なう端末局を具備し、前記複数の基地局うち少なくともいずれか１つは、キャリア・アグリゲーションを行なう際に、各コンポーネント・キャリアで多地点協調送受信を行なう重要性に基づいて、コンポーネント・キャリア毎にリファレンス信号を送信する頻度を制御する無線通信システム。
（４９）リファレンス信号を送信する複数の基地局と、基地局からのリファレンス信号を受信して、自局のための多地点協調送受信を行なう協調グループの決定用の測定を行なう端末局を具備し、前記複数の基地局うち少なくともいずれか１つは、キャリア・アグリゲーションを行なう際に、各コンポーネント・キャリアの周波数に応じて、コンポーネント・キャリア毎にリファレンス信号を送信する頻度を制御する無線通信システム。
（５０）リファレンス信号を送信する複数の基地局と、基地局からのリファレンス信号を受信して、自局のための多地点協調送受信を行なう協調グループの決定用の測定を行なう端末局を具備し、前記複数の基地局うち少なくともいずれか１つは、キャリア・アグリゲーションを行なう際に、各コンポーネント・キャリアの周波数的な配置に応じて、周波数的に連続して配置されたコンポーネント・キャリアでそれぞれリファレンス信号を送信する頻度を制御する無線通信システム。
【産業上の利用可能性】
【０１９７】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。【０１９８】
本明細書では、３ＧＰＰが策定したＬＴＥに従うセルラー通信システムに適用した実施形態を中心に説明してきたが、本明細書で開示する技術の要旨はこれに限定されるものではない。複数の基地局が協調して端末に対して同時にデータを送受信する技術を適用したさまざまなセルラー通信システムに、本明細書で開示する技術を同様に適用することができる。【０１９９】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【０２００】
１８００…無線通信装置（Ｍａｃｒｏ  ｅＮｏｄｅＢ）
１８０１…ＲＦ通信処理部
１８０２…ディジタル通信処理部
１８０３…ＲＲＨ情報取得部
１８０４…送信頻度制御部
１８０５…キャリア判定部
１８０６…通知部
１８０７…ポイント・セレクション部
１９００…無線通信装置（Ｐｉｃｏ  ｅＮｏｄｅＢ又はＲＲＨ）
１９０１…ＲＦ通信処理部
１９０２…ディジタル通信処理部
１９０３…送信頻度制御部
１９０４…測定頻度通知部
１９０５…設定情報取得部
２０００…無線通信装置（ＵＥ端末）
２００１…ＲＦ通信処理部
２００２…ディジタル通信処理部
２００３…測定頻度制御部
２００４…測定頻度情報取得部
２００５…リファレンス信号測定部
【図１】
0005962670.tif 000002
【図２】
0005962670.tif 000003
【図３】
0005962670.tif 000004
【図４】
0005962670.tif 000005
【図５】
0005962670.tif 000006
【図６】
0005962670.tif 000007
【図７】
0005962670.tif 000008
【図８】
0005962670.tif 000009
【図９】
0005962670.tif 000010
【図１０】
0005962670.tif 000011
【図１１】
0005962670.tif 000012
【図１２】
0005962670.tif 000013
【図１３】
0005962670.tif 000014
【図１４】
0005962670.tif 000015
【図１５】
0005962670.tif 000016
【図１６】
0005962670.tif 000017
【図１７】
0005962670.tif 000018
【図１８】
0005962670.tif 000019
【図１９】
0005962670.tif 000020
【図２０】
0005962670.tif 000021
【図２１】
0005962670.tif 000022
【図２２】
0005962670.tif 000023